(57)【要約】      （修正有）【課題】端末装置と基地局装置が効率的に通信を行うことができるように、無線アクセス方式の物理パラメータを通知するための方法を備えた端末装置、基地局装置及び集積回路を提供する。【解決手段】端末装置は、サブキャリア間隔、スロット数、ＯＦＤＭシンボル数、送信時間間隔の何れかの組み合わせまたは組み合わせの１又は複数の候補を示す第１の情報を受信し、少なくとも第１の情報に基づいて、ある物理チャネルに対して設定される少なくともサブキャリア間隔（ＳＣＳ）と送信時間間隔（ＴＴＩ）との組み合わせ若くは前記組み合わせの１又は複数の候補を特定する。また、基地局装置は第一の情報を送信し、前記組み合わせの複数の候補のいずれかを用いて物理チャネルを送信する。【選択図】図７
2020109883.tif 000002
【特許請求の範囲】
【請求項１】
端末装置であって、
サブキャリア間隔、スロット数、ＯＦＤＭシンボル数、送信時間間隔の何れかの組み合わせまたは組み合わせの１または複数の候補を示す第１の情報を受信する受信部と、
少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する制御部とを備える端末装置。
【請求項２】
前記受信部はさらに１または複数の論理チャネルの各々と送信時間間隔の紐付けを示す第２の情報を受信し、
前記第１の情報に基づいて特定される送信時間間隔と、前記第２の情報に基づいて、ＭＡＣ層プロトコルデータユニット（ＭＡＣ−ＰＤＵ）を生成する媒体アクセス制御層処理部を備える請求項１記載の端末装置。
【請求項３】
基地局装置であって、
サブキャリア間隔、スロット数、ＯＦＤＭシンボル数、送信時間間隔の何れかの組み合わせまたは組み合わせの１または複数の候補を示す第１の情報を生成する制御部と、
前記第１の情報を送信し、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補の何れかを用いて物理チャネルを送信する送信部を備える基地局装置。
【請求項４】
端末装置に適用される通信方法であって、
サブキャリア間隔、スロット数、ＯＦＤＭシンボル数、送信時間間隔の何れかの組み合わせまたは組み合わせの１または複数の候補を示す第１の情報を受信するステップと、
少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定するステップとを含むことを特徴とする通信方法。
【請求項５】
端末装置に実装される集積回路であって、
サブキャリア間隔、スロット数、ＯＦＤＭシンボル数、送信時間間隔の何れかの組み合わせまたは組み合わせの１または複数の候補を示す第１の情報を受信する機能と、
少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する機能とを前記端末装置に対して発揮させることを特徴とする集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。また、３ＧＰＰにおいて、第５世代のセルラーシステムに向けた無線アクセス方式および無線ネットワーク技術として、ＬＴＥの拡張技術であるＬＴＥ―Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【０００３】
第５世代のセルラーシステムでは、高速・大容量伝送を実現するｅＭＢＢ（ｅｎｈａｎｃｅｄ  Ｍｏｂｉｌｅ  ＢｒｏａｄＢａｎｄ）、低遅延・高信頼通信を実現するＵＲＬＬＣ（Ｕｌｔｒａ―Ｒｅｌｉａｂｌｅ  ａｎｄ  Ｌｏｗ  Ｌａｔｅｎｃｙ  Ｃｏｍｍｕｎｉｃａｔｉｏｎ）、ＩｏＴ（Ｉｎｔｅｒｎｅｔ  ｏｆ  Ｔｈｉｎｇｓ）などマシン型デバイスが多数接続するｍＭＴＣ（ｍａｓｓｉｖｅ  Ｍａｃｈｉｎｅ  Ｔｙｐｅ  Ｃｏｍｍｕｎｉｃａｔｉｏｎ）の3つがサービスの想定シナリオとして要求されている。
【０００４】
またＮＲでは、異なる複数の物理パラメータ（例えばサブキャリア間隔）を用いて通信することが検討されており（非特許文献２）、端末装置は、異なる複数の物理パラメータのうちのいずれの物理パラメータを用いて基地局装置と通信するかを特定する必要がある。
【先行技術文献】
【非特許文献】
【０００５】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年6月
【非特許文献２】３ＧＰＰ  Ｒ１−１６６８７８  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿８６／Ｄｏｃｓ／Ｒ１−１６６８７８．ｚｉｐ
【非特許文献３】３ＧＰＰ  Ｒ２−１６８５３１  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９６／Ｄｏｃｓ／Ｒ２−１６８５３１．ｚｉｐ
【発明の概要】
【発明が解決しようとする課題】
【０００６】
ＮＲでは、端末の能力とセルでサポートされる物理パラメータに基づき、基地局装置と端末装置とが複数の物理パラメータ（ヌメロロジー）を用いて通信することが検討されている（非特許文献３）。しかしながら、必要なパラメータの通知方法や適用方法についての検討が行われておらず、基地局装置と端末装置との通信を、効率的に行うことができないという課題があった。
【０００７】
本発明の一態様は、上記した事情に鑑みてなされたもので、基地局装置との通信を効率
的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００８】
（１）上記の目的を達成するために、本発明の一態様は、以下のような手段を講じた。すなわち、本発明の第１の態様は、端末装置であって、サブキャリア間隔、スロット数、ＯＦＤＭシンボル数、送信時間間隔の何れかの組み合わせまたは組み合わせの１または複数の候補を示す第１の情報を受信する受信部と、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する制御部とを備える。
【０００９】
（２）本発明の第２の態様は、基地局装置であって、サブキャリア間隔、スロット数、ＯＦＤＭシンボル数、送信時間間隔の何れかの組み合わせまたは組み合わせの１または複数の候補を示す第１の情報を生成する制御部と、前記第１の情報を送信し、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補の何れかを用いて物理チャネルを送信する送信部を備える。
【００１０】
（３）本発明の第３の態様は、端末装置に適用される通信方法であって、サブキャリア間隔、スロット数、ＯＦＤＭシンボル数、送信時間間隔の何れかの組み合わせまたは組み合わせの１または複数の候補を示す第１の情報を受信するステップと、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定するステップとを含む。
【００１１】
（４）本発明の第４の態様は、端末装置に実装される集積回路であって、サブキャリア間隔、スロット数、ＯＦＤＭシンボル数、送信時間間隔の何れかの組み合わせまたは組み合わせの１または複数の候補を示す第１の情報を受信する機能と、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する機能とを前記端末装置に対して発揮させる。
【発明の効果】
【００１２】
本発明の一態様によれば、端末装置および基地局装置は、効率的に通信を行うことができる。
【図面の簡単な説明】
【００１３】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレーム、スロット、ミニスロットの時間領域における関係を示した図である。
【図６】本発明の実施形態に係るスロットまたはサブフレームの一例を示す図である。
【図７】本発明の実施形態に係るＲＲＣ接続再設定手順の一例を示す図である。
【図８】本発明の実施形態に係るＲＲＣ接続再設定メッセージの一例を示す図である。
【図９】本発明の実施形態に係るＲＲＣ接続再設定メッセージに含まれる要素の一例を示す図である。
【図１０】本発明の実施形態に係るＲＲＣ接続再設定メッセージに含まれる要素の一例を示す図である。
【図１１】本発明の実施形態に係るＲＲＣ接続再設定メッセージに含まれる要素の一例を示す図である。
【図１２】本発明の実施形態に係るＲＲＣ接続再設定メッセージに含まれる要素の一例を示す図である。
【図１３】本発明の実施形態に係るＲＲＣ接続再設定手順の一例を示す図である。
【図１４】本発明の実施形態に係るＲＲＣ接続再設定メッセージに含まれる要素の一例を示す図である。
【図１５】本発明の実施形態に係るヌメロロジーに関する情報および送信時間間隔（ＴＴＩ）設定の一例を示す図である。
【発明を実施するための形態】
【００１４】
以下、本発明の実施形態について説明する。
【００１５】
本実施形態の無線通信システム、および無線ネットワークについて説明する。
【００１６】
ＬＴＥ（およびＬＴＥ−Ａ  Ｐｒｏ）とＮＲは、異なるＲＡＴ（Ｒａｄｉｏ  Ａｃｃｅｓｓ  Ｔｅｃｈｎｏｌｏｇｙ）として定義されてもよい。ＮＲは、ＬＴＥに含まれる技術として定義されてもよい。ＬＴＥは、ＮＲに含まれる技術として定義されてもよい。本実施形態はＮＲ、ＬＴＥおよび他のＲＡＴに適用されてよい。以下の説明では、ＬＴＥに関連する用語を用いて説明するが、他の用語を用いる他の技術において適用されてもよい。
【００１７】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビームフォーミングで使用されるビームのインデックス、クワジコロケーションのインデックスあるいはプリコーディングのインデックスに基づいて識別されてもよい。
【００１８】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００１９】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２０】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フーリエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２１】
また、図１において、端末装置２と基地局装置３の間の無線通信および／または端末装置２と他の端末装置２の間の無線通信では、ユニバーサルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２４】
端末装置２は、セルの中を通信エリアとみなして動作する。端末装置２が、非無線接続時（アイドル状態、ＲＲＣ＿ＩＤＬＥ状態とも称する）はセル再選択手順によって別の適切なセルへ移動してもよい。端末装置２が、無線接続時（コネクティッド状態、ＲＲＣ＿ＣＯＮＮＥＣＴＥＤ状態とも称する）はハンドオーバ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２が、不活動状態（インアクティブ状態とも称する）において、セル再選択手順によって別の適切なセルへ移動してもよい。端末装置２が、不活動状態において、ハンドオーバ手順によって別のセルへ移動してもよい。
【００２５】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ）と称して、その他の通信に使用されないセルは周辺セル（Ｎｅｉｇｈｂｏｒｉｎｇ  ｃｅｌｌ）と称してよい。また、在圏セルにおいて必要となるシステム情報の一部あるいは全部は、端末装置２に対して、別のセルで報知または通知される場合もある。
【００２６】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオーバプロシージャにおいてプライマリセルと指示さ
れたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。
【００２７】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００２８】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２９】
本実施形態の物理チャネルおよび物理シグナルについて説明する。
【００３０】
図１において、端末装置２と基地局装置３の下りリンク無線通信では、以下の下りリンク物理チャネルが用いられる。下りリンク物理チャネルは、上位層から出力された情報を送信するために使用される。
・ＮＲ−ＰＢＣＨ（Ｎｅｗ  Ｒａｄｉｏ  Ｐｈｙｓｉｃａｌ  Ｂｒｏａｄｃａｓｔ  ＣＨａｎｎｅｌ）
・ＮＲ−ＰＤＣＣＨ（Ｎｅｗ  Ｒａｄｉｏ  Ｐｈｙｓｉｃａｌ  Ｄｏｗｎｌｉｎｋ  Ｃｏｎｔｒｏｌ  ＣＨａｎｎｅｌ）
・ＮＲ−ＰＤＳＣＨ（Ｎｅｗ  Ｒａｄｉｏ  Ｐｈｙｓｉｃａｌ  Ｄｏｗｎｌｉｎｋ  Ｓｈａｒｅｄ  ＣＨａｎｎｅｌ）
ＮＲ−ＰＢＣＨは、端末装置２が必要とする重要なシステム情報（Ｅｓｓｅｎｔｉａｌ
ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送
信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＮＲ−ＰＳＣＨで送信されてもよい。
【００３１】
ＮＲ−ＰＤＣＣＨは、下りリンクの無線通信（基地局装置３から端末装置２への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３２】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００３３】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００３４】
例えば、ＤＣＩとして、１つのセルにおける１つの上りリンクの無線通信ＮＲ−ＰＵＳＣＨ（１つの上りリンクトランスポートブロックの送信）のスケジューリングのために用いられるＤＣＩが定義されてもよい。
【００３５】
例えば、ＤＣＩには、１つのセルにおける１つの下りリンクの無線通信ＮＲ−ＰＤＳＣＨのサブキャリア間隔（ＳＣＳ）および／またはスケジューリングに用いられる時間の単位（送信時間間隔、ＴＴＩ：Ｔｒａｎｓｍｉｓｓｉｏｎ  Ｔｉｍｅ  Ｉｎｔｅｒｖａｌ）を示すための情報が含まれてもよい。
【００３６】
例えば、ＤＣＩには、１つのセルにおける１つの上りリンクの無線通信ＮＲ−ＰＤＳＣＨのサブキャリア間隔（ＳＣＳ）および／または送信時間間隔（ＴＴＩ）を示すための情報が含まれてもよい。
【００３７】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００３８】
ＮＲ−ＰＤＳＣＨは、媒介アクセス（ＭＡＣ：Ｍｅｄｉｕｍ  Ａｃｃｅｓｓ  Ｃｏｎｔｒｏｌ）からの下りリンクデータ（ＤＬ−ＳＣＨ：Ｄｏｗｎｌｉｎｋ  Ｓｈａｒｅｄ  ＣＨａｎｎｅｌ）の送信に用いられる。また、システム情報（ＳＩ：Ｓｙｓｔｅｍ  Ｉｎｆ
ｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００３９】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４０】
ＮＲ−ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置固有（ＵＥスペシフィック）な情報は、ある端末装置２に対して専用のシグナリングを用いて送信されてもよい。
【００４１】
ＮＲ−ＰＲＡＣＨは、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＮＲ−ＰＵＳＣＨ（ＵＬ−ＳＣＨ）リソースの要求を示すために用いられてもよい。
【００４２】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。また、同期信号は、セルの品質を測定するために用いられてもよい。例えば同期信号の受信電力
（ＳＳＲＰ）や受信品質（ＳＳＲＱ）が測定に用いられてよい。また、同期信号は、一部の下りリンク物理チャネルの伝搬路補正を行なうために用いられてもよい。
【００４３】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＭＲＳ（Ｍｏｂｉｌｉｔｙ  Ｒｅｆｅｒｅｎｃｅ  Ｓｉｇｎａｌ）
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００４４】
ＣＳＩ−ＲＳは、チャネル状態測定およびビームマネジメントに用いられてよい。ＰＴＲＳは、端末の移動等により位相をトラックするために使用されてよい。ＭＲＳは、ハンドオーバのための複数の基地局装置からの受信品質を測定するために使用されてよい。
【００４５】
また、参照信号には、位相雑音を補償するための参照信号が定義されてもよい。
【００４６】
また、参照信号は、無線リソース測定（ＲＲＭ：Ｒａｄｉｏ  Ｒｅｓｏｕｒｃｅ  Ｍｅａｓｕｒｅｍｅｎｔ）に用いられてよい。また、参照信号は、ビームマネジメントに用いられてよい。
【００４７】
ビームマネジメントは、送信装置（下りリンクの場合は基地局装置３であり、上りリンクの場合は端末装置２である）におけるアナログおよび／またはディジタルビームと、受信装置（下りリンクの場合は端末装置２、上りリンクの場合は基地局装置３である）におけるアナログおよび／またはディジタルビームの指向性を合わせ、ビーム利得を獲得するための基地局装置３および／または端末装置２の手続きであってよい。
【００４８】
なお、ビームペアリンクを構成、設定または確立する手続きとして、下記の手続きを含んでよい。
・ビーム選択（Ｂｅａｍ  ｓｅｌｅｃｔｉｏｎ）
・ビーム改善（Ｂｅａｍ  ｒｅｆｉｎｅｍｅｎｔ）
・ビームリカバリ（Ｂｅａｍ  ｒｅｃｏｖｅｒｙ）
例えば、ビーム選択は、基地局装置３と端末装置２の間の通信においてビームを選択する手続きであってよい。また、ビーム改善は、さらに利得の高いビームの選択、あるいは端末装置２の移動によって最適な基地局装置３と端末装置２の間のビームの変更をする手続きであってよい。ビームリカバリは、基地局装置３と端末装置２の間の通信において遮蔽物や人の通過などにより生じるブロッケージにより通信リンクの品質が低下した際にビームを再選択する手続きであってよい。
【００４９】
ビームマネジメントには、ビーム選択、ビーム改善が含まれてよい。ビームリカバリには、下記の手続きを含んでよい。
・ビーム失敗（ｂｅａｍ  ｆａｉｌｕｒｅ）の検出
・新しいビームの発見
・ビームリカバリリクエストの送信
・ビームリカバリリクエストに対する応答のモニタ
例えば、端末装置２における基地局装置３の送信ビームを選択する際にＣＳＩ−ＲＳまたは同期信号ブロック内の同期信号（例えば、ＳＳＳ）を用いてもよいし、擬似同位置（ＱＣＬ：Ｑｕａｓｉ  Ｃｏ―Ｌｏｃａｔｉｏｎ）想定を用いてもよい。
【００５０】
もしあるアンテナポートにおけるあるシンボルが搬送されるチャネルの長区間特性（Ｌｏｎｇ  Ｔｅｒｍ  Ｐｒｏｐｅｒｔｙ）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００５１】
このＱＣＬは、ビームマネジメントにも拡張されうる。そのために、空間に拡張したＱＣＬが新たに定義されてもよい。例えば、空間のＱＣＬ想定におけるチャネルの長区間特性（Ｌｏｎｇ  ｔｅｒｍ  ｐｒｏｐｅｒｔｙ）として、無線リンクあるいはチャネルにおける到来角（ＡｏＡ（Ａｎｇｌｅ  ｏｆ  Ａｒｒｉｖａｌ）、ＺｏＡ（Ｚｅｎｉｔｈ  ａｎｇｌｅ  ｏｆ  Ａｒｒｉｖａｌ）など）および／または角度広がり（Ａｎｇｌｅ  Ｓｐｒｅａｄ、例えばＡＳＡ（Ａｎｇｌｅ  Ｓｐｒｅａｄ  ｏｆ  Ａｒｒｉｖａｌ）やＺＳＡ（Ｚｅｎｉｔｈ  ａｎｇｌｅ  Ｓｐｒｅａｄ  ｏｆ  Ａｒｒｉｖａｌ））、送出角（ＡｏＤ、ＺｏＤなど）やその角度広がり（Ａｎｇｌｅ  Ｓｐｒｅａｄ、例えばＡＳＤ（Ａｎｇｌｅ  Ｓｐｒｅａｄ  ｏｆ  Ｄｅｐａｒｔｕｒｅ）やＺＳＳ（Ｚｅｎｉｔｈ  ａｎｇｌｅ
Ｓｐｒｅａｄ  ｏｆ Ｄｅｐａｒｔｕｒｅ））、空間相関（Ｓｐａｔｉａｌ  Ｃｏｒｒ
ｅｌａｔｉｏｎ）であってもよい。
【００５２】
この方法により、ビームマネジメントとして、空間のＱＣＬ想定と無線リソース（時間および／または周波数）によりビームマネジメントと等価な基地局装置３、端末装置２の動作が定義されてもよい。
【００５３】
ただし、上記複数の参照信号の少なくとも一部は、他の参照信号がその機能を有してもよい。
【００５４】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置２に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００５５】
また、参照信号の少なくとも１つは、無線パラメータやサブキャリア間隔などのヌメロロジーやＦＦＴの窓同期などができる程度の細かい同期（Ｆｉｎｅ  ｓｙｎｃｈｒｏｎｉｚａｔｉｏｎ）に用いられて良い。
【００５６】
また、参照信号の少なくとも１つは、無線リソース測定（ＲＲＭ：Ｒａｄｉｏ  Ｒｅｓｏｕｒｃｅ  Ｍｅａｓｕｒｅｍｅｎｔ）に用いられてよい。また、参照信号の少なくとも１つは、ビームマネジメントに用いられてよい。無線リソース測定のことを以下では単に測定とも称する。また、ビームは、送信または受信フィルタ設定（Ｆｉｌｔｅｒ  Ｃｏｎｆｉｇｕｒａｔｉｏｎ）と定義されてよい。
【００５７】
また、参照信号の少なくとも１つに、同期信号が含まれてもよい。
【００５８】
図１において、端末装置２と基地局装置３の上りリンク無線通信（端末装置２から基地局装置３の無線通信）では、以下の上りリンク物理チャネルが用いられる。上りリンク物理チャネルは、上位層から出力された情報を送信するために使用される。
・ＮＲ−ＰＵＣＣＨ（Ｎｅｗ  Ｒａｄｉｏ  Ｐｈｙｓｉｃａｌ  Ｕｐｌｉｎｋ  Ｃｏｎｔｒｏｌ  ＣＨａｎｎｅｌ）
・ＮＲ−ＰＵＳＣＨ（Ｎｅｗ  Ｒａｄｉｏ  Ｐｈｙｓｉｃａｌ  Ｕｐｌｉｎｋ  Ｓｈａｒｅｄ  ＣＨａｎｎｅｌ）
・ＮＲ−ＰＲＡＣＨ（Ｎｅｗ  Ｒａｄｉｏ  Ｐｈｙｓｉｃａｌ  Ｒａｎｄｏｍ  Ａｃｃｅｓｓ  ＣＨａｎｎｅｌ）
ＮＲ−ＰＵＣＣＨは、上りリンク制御情報（Ｕｐｌｉｎｋ  Ｃｏｎｔｒｏｌ  Ｉｎｆｏｒｍａｔｉｏｎ：ＵＣＩ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００５９】
ＮＲ−ＰＵＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）の送信に用いられる。また、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００６０】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵＥの能力（ＵＥ  Ｃａｐａｂｉｌｉｔｙ）の送信に用いられてもよい。
【００６１】
なお、ＮＲ−ＰＤＣＣＨとＮＲ−ＰＵＣＣＨには同一の呼称（例えばＮＲ−ＰＣＣＨ）および同一のチャネル定義が用いられてもよいし。ＮＲ−ＰＤＳＣＨとＮＲ−ＰＵＳＣＨには同一の呼称（例えばＮＲ−ＰＳＣＨ）および同一のチャネル定義が用いられてもよい。
【００６２】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００６３】
本実施形態の無線プロトコル構造について説明する。
【００６４】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御データを扱うプロトコルスタックを制御プレーン（ＣＰ（Ｃｏｎｔｒｏｌ−ｐｌａｎｅ、Ｃ−Ｐｌａｎｅ））プロトコルスタックと称する。
【００６５】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置２と基地局装置３のＰＨＹ層間において、物理チャネルを介してデータの送受信が行われる。
【００６６】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００６７】
ＲＬＣ層は、上位層から受信したデータを分割（Ｓｅｇｍｅｎｔａｔｉｏｎ）し、下位層が適切にデータ送信できるようにデータサイズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００６８】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６９】
さらに、制御プレーンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００７０】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００７１】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロールエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層
である。ＲＲＣ層から見て、例えばＮＡＳ層は、上層（Ｕｐｐｅｒ Ｌａｙｅｒ）とも称
する。
【００７２】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００７３】
以下、サブフレームについて説明する。本実施形態ではサブフレームと称するが、リソースユニット、無線フレーム、時間区間、時間間隔などと称されてもよい。また、１つまたは複数のサブフレームが１つの無線フレームを構成してもよい。
【００７４】
図４は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図４は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００７５】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００７６】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するOFDMシンボルと、周波数領域において１２個の連続するサブキャリアとにより定義される。つまり、1つ
の物理リソースブロックは、（６×１２）個のリソースエレメントから構成される。このとき、1つの物理リソースブロックは、時間領域において１つのスロットに対応し、１５
ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００７７】
次に、サブフレーム、スロット、ミニスロットについて説明する。図５は、サブフレーム、スロット、ミニスロットの時間領域における関係を示した図である。同図のように、３種類の時間ユニットが定義されてよい。例えば、サブフレームはサブキャリア間隔によらず１ｍｓであってよく、スロットに含まれるＯＦＤＭシンボル数は７または１４であってよく、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が１４の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００７８】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。
【００７９】
図６は、スロットまたはサブフレーム（サブフレームタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００８０】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＣＣHを介して上りリンクのスケジュ
ーリングを行い、ＰＣＣＨの処理遅延及び下りから上りの切り替え時間、送信信号の生成のためのギャップを介して上りリンク信号を送信する。図６（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図６（ｅ）は、全て上りリンク送信（上りリンクのＰＳＣＨまたはＰＣＣＨ）に用いられている例である。
【００８１】
上述の下りリンクパート、上りリンクパートは、ＬＴＥと同様複数のＯＦＤＭシンボルで構成されてよい。
【００８２】
ここで、リソースグリッドが、複数のサブキャリアと複数のＯＦＤＭシンボルまたはＳＣ−ＦＤＭＡシンボルによって定義されてもよい。また、１つのスロットを構成するサブキャリアの数は、セルの帯域幅に依存してもよい。１つの下りリンクパート、上りリンクパートを構成するＯＦＤＭシンボルの数は１または２以上であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボル番号を用いて識別されてもよい。
【００８３】
基地局装置３は、図６のサブフレーム構成の信号を送信してよい。
【００８４】
本実施形態で用いるＲＲＣ接続再設定メッセージの一例を、図８を用いて説明する。
【００８５】
図８に示すように、ＲＲＣ接続再設定メッセージは（８Ａ）ｒｒｃ−ＴｒａｎｓａｃｔｉｏｎＩｄｅｎｔｉｆｉｅｒ、（８Ｂ）ｍｅａｓＣｏｎｆｉｇ、（８Ｃ）ｍｏｂｉｌｉｔｙＣｏｎｔｒｏｌＩｎｆｏ、（８Ｄ）ｄｅｄｉｃａｔｅｄＩｎｆｏＮＡＳＬｉｓｔ、（８Ｅ）ｒａｄｉｏＲｅｓｏｕｒｃｅＣｏｎｆｉｇＤｅｄｉｃａｔｅｄ、（８Ｆ）ｓｅｃｕｒｉｔｙＣｏｎｆｉｇＨＯ、（８Ｇ）ｏｔｈｅｒＣｏｎｆｉｇ、（８Ｈ）ｆｕｌｌＣｏｎｆｉｇ、（８Ｉ）ｓＣｅｌｌＴｏＲｅｌｅａｓｅＬｉｓｔ、（８Ｊ）ｓＣｅｌｌＴｏＡｄｄＭｏｄＬｉｓｔ、（８Ｋ）ｓｙｓｔｅｍＩｎｆｏｍａｔｉｏｎＢｌｏｃｋＤｅｄｉｃａｔｅｄの一部あるいは全部を含んでよい。
【００８６】
（８Ａ）ｒｒｃ−ＴｒａｎｓａｃｔｉｏｎＩｄｅｎｔｉｆｉｅｒは、ＲＲＣプロシージャ（トランザクション）の識別に用いられる要素であり、例えば０から３の整数を値として持つ。（８Ｂ）ｍｅａｓＣｏｎｆｉｇは、端末装置２によって実行される（Ｐｅｒｆｏｒｍｅｄ）測定を設定するための情報であり、測定のためのギャップ期間の設定を含んでよい。（８Ｄ）ｄｅｄｉｃａｔｅｄＩｎｆｏＮＡＳＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。（８Ｅ）ｒａｄｉｏＲｅｓｏｕｒｃｅＣｏｎｆｉｇＤｅｄｉｃａｔｅｄは、ＳＲＢやＤＲＢの設定、変更、および／または解放に使われる情報、ＭＡＣ層の設定を変更するための情報、物理層のチャネル設定に関する情報などが含まれてよい。（８Ｆ）ｓｅｃｕｒｉｔｙＣｏｎｆｉｇＨＯは、セキュリティに関する設定であり、例えば、ＳＲＢのＡＳ層における完全性保証（Ｉｎｔｅｇｒｉｔｙ  Ｐｒｏｔｅｃｔｉｏｎ）アルゴリズムの設定や、ＳＲＢおよび／またはＤＲＢの暗号（Ｃｉｐｈｅｒｉｎｇ）アルゴリズムの設定などを含んでよい。（８Ｈ）ｆｕｌｌＣｏｎｆｉｇは、このＲＲＣ接続再設定メッセージに特定のオプションが適用されるか否かを示す情報であり、端末装置２は、（８Ｈ）ｆｕｌｌＣｏｎｆｉｇがＲＲＣ接続再設定メッセージに含まれる場合に、特定の要素に含まれる設定を適用するようにしてよい。（８Ｉ）ｓＣｅｌｌＴｏＲｅｌｅａｓｅＬｉｓｔ、（８Ｊ）ｓＣｅｌｌＴｏＡｄｄＭｏｄＬｉｓｔは、セカンダリセルの追加、変更、および／または解放に使われる情報が含まれてよい。（８Ｋ）ｓｙｓｔｅｍＩｎｆｏｍａｔｉｏｎＢｌｏｃｋＤｅｄｉｃａｔｅｄは、ターゲットセルの報知情報の一部を含んでよい。
【００８７】
（８Ｃ）ｍｏｂｉｌｉｔｙＣｏｎｔｒｏｌＩｎｆｏは、図９に示すような、ネットワーク制御によるモビリティ（例えばハンドオーバ）のために必要なパラメータを含む。（８Ｃ）ｍｏｂｉｌｉｔｙＣｏｎｔｒｏｌＩｎｆｏは、（９Ａ）ｔａｒｇｅｔＰｈｙｓＣｅｌｌＩｄ、（９Ｂ）ｃａｒｒｉｅｒＦｒｅｑ、（９Ｃ）ｃａｒｒｉｅｒＢａｎｄｗｉｄｔｈ
、（９Ｄ）ｔ３０４、（９Ｅ）ｎｅｗＵＥ−Ｉｄｅｎｔｉｔｙ、（９Ｆ）ｒａｄｉｏＲｅｓｏｕｒｃｅＣｏｎｆｉｇＣｏｍｍｏｎ、（９Ｇ）ｒａｃｈ−ＣｏｎｆｉｇＤｅｄｉｃａｔｅｄ、の一部あるいは全部を含んでよい。また、（８Ｃ）ｍｏｂｉｌｉｔｙＣｏｎｔｒｏｌＩｎｆｏは、その他の様々な情報を含んでもよい。
【００８８】
（９Ａ）ｔａｒｇｅｔＰｈｙｓＣｅｌｌＩｄは、ターゲットセルの識別子(例えば物理
セル識別子）を示す。また、ｔａｒｇｅｔＰｈｙｓＣｅｌｌＩｄにはセル内の領域を示す情報（例えばタイムインデックス情報やＳＳブロック識別子）が含まれてもよい。また、ｔａｒｇｅｔＰｈｙｓＣｅｌｌＩｄとは異なるパラメータとしてセル内の領域を示す情報（例えば例えばタイムインデックス情報やＳＳブロック識別子）が含まれてもよい。（９Ｂ）ｃａｒｒｉｅｒＦｒｅｑは、端末装置２がターゲットセルで使う周波数の情報を示す。（９Ｃ）ｃａｒｒｉｅｒＢａｎｄｗｉｄｔｈは、ターゲットセルの下りリンクおよび／または上りリンクの帯域幅の情報を示す。（９Ｄ）ｔ３０４は、ハンドオーバに関するタイマーの値を示し、例えば端末装置２は、タイマーで示される時間内にハンドオーバが正常に完了しない場合に既定の処理を実行してもよい。（９Ｅ）ｎｅｗＵＥ−Ｉｄｅｎｔｉｔｙは、ターゲットセルにおける端末装置２の新しい識別子（例えばＣ−ＲＮＴＩ）を示す。
【００８９】
（９Ｆ）ｒａｄｉｏＲｅｓｏｕｒｃｅＣｏｎｆｉｇＣｏｍｍｏｎは、図１０に示すような、ランダムアクセスパラメータや静的な物理層パラメータなどの共通無線リソース設定を特定する（Ｓｐｅｃｉｆｙ）ために使われる情報を含む。（９Ｆ）ｒａｄｉｏＲｅｓｏｕｒｃｅＣｏｎｆｉｇＣｏｍｍｏｎは、（１０Ａ）ｒａｃｈ−ＣｏｎｆｉｇＣｏｍｍｏｎ、（１０Ｂ）ｐｒａｃｈ−Ｃｏｎｆｉｇ、（１０Ｃ）ｐｄｓｃｈ−ＣｏｎｆｉｇＣｏｍｍｏｎ、（１０Ｄ）ｐｕｓｃｈ−ＣｏｎｆｉｇＣｏｍｍｏｎ、（１０Ｅ）ｐｕｃｃｈ−ＣｏｎｆｉｇＣｏｍｍｏｎ、（１０Ｆ）ｓｏｕｎｄｉｎｇＲＳ−ＵＬ−ＣｏｎｆｉｇＣｏｍｍｏｎ、（１０Ｇ）ｕｐｌｉｎｋＰｏｗｅｒＣｏｎｔｒｏｌＣｏｍｍｏｎ、（１０Ｈ）ａｎｔｅｎｎａＩｎｆｏＣｏｍｍｏｎ、（１０Ｉ）ｐ−Ｍａｘ、（１０Ｊ）ｔｄｄ−Ｃｏｎｆｉｇ、の一部あるいは全部を含んでよい。また、（９Ｆ）ｒａｄｉｏＲｅｓｏｕｒｃｅＣｏｎｆｉｇＣｏｍｍｏｎは、その他の様々な情報を含んでもよい。また、（１０Ｃ）ｐｄｓｃｈ−ＣｏｎｆｉｇＣｏｍｍｏｎと（１０Ｄ）ｐｕｓｃｈ−ＣｏｎｆｉｇＣｏｍｍｏｎの設定をまとめて一つの設定（ｐｓｃｈ−ＣｏｎｆｉｇＣｏｍｍｏｎ）としてもよい。また、（９Ｆ）ｒａｄｉｏＲｅｓｏｕｒｃｅＣｏｎｆｉｇＣｏｍｍｏｎに含まれる上記一部あるいは全部の情報は、セル内の領域ごとの情報であってもよい。
【００９０】
（１０Ａ）ｒａｃｈ−ＣｏｎｆｉｇＣｏｍｍｏｎは、一般的なランダムアクセスパラメータ（Ｇｅｎｅｒｉｃ  ｒａｎｄｏｍ  ａｃｃｅｓｓ  ｐａｒａｍｅｔｅｒ）を特定するために使われる情報を含む。例えば（１０Ａ）ｒａｃｈ−ＣｏｎｆｉｇＣｏｍｍｏｎは、ランダムアクセスプリアンブルの情報として、個別に使用されない（Ｎｏｎ−ｄｅｄｉｃａｔｅｄ）プリアンブルの数、グループ化されたプリアンブルの何れのグループのプリアンブルを用いるかを判断するための閾値情報、および／またはパワーランピングに関する情報、の一部あるいは全部を含んでよい。
【００９１】
（１０Ｂ）ｐｒａｃｈ−Ｃｏｎｆｉｇは、ＰＲＡＣＨ設定を特定するために使われる情報を含む。例えば、（１０Ｂ）ｐｒａｃｈ−Ｃｏｎｆｉｇは、ランダムアクセスプリアンブルのルートシーケンスのインデックス情報、ランダムアクセスプリアンブル送信に用いられる時間／周波数リソースの情報、および／またはプリアンブルの送信に用いられるヌメロロジーの情報、の一部または全部を含んでよい。
【００９２】
（１０Ｃ）ｐｄｓｃｈ−ＣｏｎｆｉｇＣｏｍｍｏｎは、共通のＰＤＳＣＨ設定を特定するための情報を含む。例えば、（１０Ｃ）ｐｄｓｃｈ−ＣｏｎｆｉｇＣｏｍｍｏｎは、下
りリンクの参照信号の単位リソースあたりのエネルギーの情報、下りリンク参照信号とＰＤＳＣＨの電力比に関する情報、および／またはＰＤＣＣＨおよび／またはＰＤＳＣＨの受信に用いられるヌメロロジーに関する情報、の一部または全部を含んでよい。
【００９３】
（１０Ｄ）ｐｕｓｃｈ−ＣｏｎｆｉｇＣｏｍｍｏｎは、共通のＰＵＳＣＨ設定、および／または上りリンク参照信号の設定を特定するための情報を含む。例えば、（１０Ｄ）ｐｕｓｃｈ−ＣｏｎｆｉｇＣｏｍｍｏｎは、ＰＵＳＣＨリソースの帯域情報、ホッピング情報、および／またはＰＵＣＣＨおよび／またはＰＵＳＣＨの送信に用いられるヌメロロジーに関する情報、の一部または全部を含んでよい。
【００９４】
（１０Ｅ）ｐｕｃｃｈ−ＣｏｎｆｉｇＣｏｍｍｏｎは、共通のＰＵＣＣＨ設定を特定するための情報を含む。例えば、（１０Ｅ）ｐｕｃｃｈ−ＣｏｎｆｉｇＣｏｍｍｏｎは、ＰＵＣＣＨの送信に用いられるヌメロロジーの情報を含んでよい。（１０Ｆ）ｓｏｕｎｄｉｎｇＲＳ−ＵＬ−ＣｏｎｆｉｇＣｏｍｍｏｎは、基地局装置３による測定に使うことができる共通の上りリンクの参照信号の設定を特定するための情報を含む。例えば、（１０Ｆ）ｓｏｕｎｄｉｎｇＲＳ−ＵＬ−ＣｏｎｆｉｇＣｏｍｍｏｎは、上りリンクの参照信号の一部あるいは全部の送信に用いられるヌメロロジーの情報を含んでよい。（１０Ｇ）ｕｐｌｉｎｋＰｏｗｅｒＣｏｎｔｒｏｌＣｏｍｍｏｎは、共通の上りリンクの電力制御設定を特定するための情報を含む。（１０Ｈ）ａｎｔｅｎｎａＩｎｆｏＣｏｍｍｏｎは、共通のアンテナ設定を特定するための情報を含む。（１０Ｉ）ｐ−Ｍａｘは、端末装置２による上りリンク送信を制限するための情報を含む。（１０Ｊ）ｔｄｄ−Ｃｏｎｆｉｇは、ＴＤＤ特有の物理チャネル設定を特定するための情報を含む。
【００９５】
（９Ｇ）ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーに関する情報、の一部または全部を含んでよい。また、（９Ｇ）ｒａｃｈ−ＣｏｎｆｉｇＤｅｄｉｃａｔｅｄはセル内の領域ごとの情報を含んでもよい。
【００９６】
（８Ｇ）ｏｔｈｅｒＣｏｎｆｉｇは、その他の設定の一部あるいは全部が含まれる。
【００９７】
また、（８Ｃ）ｍｏｂｉｌｉｔｙＣｏｎｔｒｏｌＩｎｆｏ、あるいは（８Ｃ）ｍｏｂｉｌｉｔｙＣｏｎｔｒｏｌＩｎｆｏに含まれる情報要素の何れかに、端末装置２がターゲットセルで送信する（１）ランダムアクセスプリアンブル、（２）ＲＲＣ接続再設定完了メッセージを含むＰＵＳＣＨ、端末装置２がターゲットセルで受信する（１）同期信号、（２）重要情報ブロック、（３）ランダムアクセス応答のメッセージを含むＰＤＳＣＨを受信するためのＰＤＣＣＨ、（４）ランダムアクセス応答のメッセージを含むＰＤＳＣＨ、（５）呼び出し（ページング）のメッセージを含むＰＤＳＣＨを受信するためのＰＤＣＣＨ、（６）呼び出し（ページング）のメッセージを含むＰＤＳＣＨ、の一部または全部に対するヌメロロジーを特定する情報の一部あるいは全部が含まれてもよい。
【００９８】
ＲＲＣ接続再設定メッセージに含まれるセカンダリセルグループの設定（ＳＣＧ−Ｃｏｎｆｉｇｕｒａｔｉｏｎ）の一例を、図１１を用いて説明する。
【００９９】
図１１に示すように、セカンダリセルグループの設定は（１１Ａ）ｓｃｇ−ＣｏｎｆｉｇＰａｒｔＭＣＧ、（１１Ｂ）ｓｃｇ−ＣｏｎｆｉｇＰａｒｔＳＣＧの一部あるいは全部を含んでよい。
【０１００】
（１１Ａ）ｓｃｇ−ＣｏｎｆｉｇＰａｒｔＭＣＧは、セカンダリセルグループの設定を
行う際のマスターセルグループにも関連する設定であり、例えば鍵情報の更新に関する情報および／またはマスターセルグループおよびセカンダリセルグループの電力に関する情報などが含まれてもよい。（１１Ｂ）ｓｃｇ−ＣｏｎｆｉｇＰａｒｔＳＣＧは、セカンダリセルグループの設定であり、例えば図１２に示すような、（１２Ａ）ｒａｄｉｏＲｅｓｏｕｒｃｅＣｏｎｆｉｇＤｅｄｉｃａｔｅｄＳＣＧ、ｐＳＣｅｌｌＴｏＡｄｄＭｏｄ、（１２Ｃ）ｓＣｅｌｌＴｏＡｄｄＭｏｄＬｉｓｔＳＣＧ、（１２Ｄ）ｓＣｅｌｌＴｏＲｅｌｅａｓｅＬｉｓｔＳＣＧ、および／または（１２Ｅ）ｍｏｂｉｌｉｔｙＣｏｎｔｒｏｌＩｎｆｏＳＣＧを含んでもよい。
【０１０１】
（１２Ａ）ｒａｄｉｏＲｅｓｏｕｒｃｅＣｏｎｆｉｇＤｅｄｉｃａｔｅｄＳＣＧは、ＳＣＧに対する端末装置２固有の無線リソース設定であり、ＤＲＢの追加／変更のための情報、ＭＡＣ層の設定情報、タイマーの設定値、および／または定数情報を含んでよい。（１２Ｂ）ｐＳＣｅｌｌＴｏＡｄｄＭｏｄは、ＰＳＣｅｌｌとなるセルの追加／変更情報であり、ＳＣｅｌｌ（ＰＳＣｅｌｌ）を識別するためのインデックス情報、セルの識別子（例えば物理セル識別子またはセルグローバル識別子）、下りリンクのキャリア周波数情報、ＰＳＣｅｌｌの共通無線リソース設定、および／またはＰＳＣｅｌｌの端末装置２固有の無線リソース設定の情報が含まれてよい。
【０１０２】
（１２Ｃ）ｓＣｅｌｌＴｏＡｄｄＭｏｄＬｉｓｔＳＣＧは、セカンダリセルグループのＳＣｅｌｌとなるセルの追加／変更情報であり、１つまたは複数のＳＣｅｌｌ情報のリストを含んでよい。さらに、各ＳＣｅｌｌ情報にはＳＣｅｌｌを識別するためのＳＣｅｌｌインデックス情報、セルの識別子（例えば物理セル識別子またはセルグローバル識別子）、下りリンクのキャリア周波数情報、および／またはＳＣｅｌｌの共通無線リソース設定の情報が含まれてよい。（１２Ｄ）ｓＣｅｌｌＴｏＲｅｌｅａｓｅＬｉｓｔＳＣＧは、セカンダリセルグループのＳＣｅｌｌを解放するための情報であり、解放する１つまたは複数のＳＣｅｌｌインデックス情報のリストを含んでよい。
【０１０３】
（１２Ｅ）ｍｏｂｉｌｉｔｙＣｏｎｔｒｏｌＩｎｆｏＳＣＧは、セカンダリセルグループの変更に必要な情報であり、セカンダリセルグループにおいて端末装置２に割り当てられる識別子、端末装置２に対して割り当てられる個別のランダムアクセスパラメータを特定するために使われる情報、および／または暗号アルゴリズムに関する情報が含まれてよい。
【０１０４】
ここで、（１１Ｂ）ｓｃｇ−ＣｏｎｆｉｇＰａｒｔＳＣＧ、あるいは（１１Ｂ）ｓｃｇ−ＣｏｎｆｉｇＰａｒｔＳＣＧに含まれる情報要素の何れかに、端末装置２が再設定されたセカンダリセルグループのセル（ＰＳＣｅｌｌまたはすべてのＳＣｅｌｌ）で送信する（１）ランダムアクセスプリアンブル、（２）ＰＵＣＣＨ、（３）ＰＵＳＣＨ、端末装置２が再設定されたセカンダリセルグループのセル（ＰＳＣｅｌｌまたはすべてのＳＣｅｌｌ）で受信する（１）同期信号、（２）ランダムアクセス応答のメッセージを含むＰＤＳＣＨを受信するためのＰＤＣＣＨ、（３）ランダムアクセス応答のメッセージを含むＰＤＳＣＨ、（４）呼び出し（ページング）のメッセージを含むＰＤＳＣＨを受信するためのＰＤＣＣＨ、（５）呼び出し（ページング）のメッセージを含むＰＤＳＣＨ、の一部または全部に対するヌメロロジーを特定する情報の一部あるいは全部が含まれてもよい。
【０１０５】
例えば、（１２Ｅ）ｍｏｂｉｌｉｔｙＣｏｎｔｒｏｌＩｎｆｏＳＣＧに含まれる、端末装置２に対して割り当てられる個別のランダムアクセスパラメータを特定するために使われる情報の一部として、プリアンブルの送信に用いられるヌメロロジーの情報が含まれてもよい。また、セカンダリセルグループのセルで共通のヌメロロジーが用いられる場合、（１２Ｂ）ｐＳＣｅｌｌＴｏＡｄｄＭｏｄに、ＰＳＣｅｌｌ（またはセカンダリセルグループのセルで共通）の、上述のシグナルおよび／またはチャネルの送信／受信に用いられ
るヌメロロジーの情報が含まれてもよい。また、セカンダリセルグループのセルで独立したヌメロロジーが用いられる場合、（１２Ｂ）ｐＳＣｅｌｌＴｏＡｄｄＭｏｄおよび／または（１２Ｃ）ｓＣｅｌｌＴｏＡｄｄＭｏｄＬｉｓｔＳＣＧの各ＳＣｅｌｌ情報に、ＳＣｅｌｌ毎の、上述のシグナルおよび／またはチャネルの送信に用いられるヌメロロジーの情報が含まれてもよい。
【０１０６】
図１４は、上記（８Ｅ）ｒａｄｉｏＲｅｓｏｕｒｃｅＣｏｎｆｉｇＤｅｄｉｃａｔｅｄの一例を示す図であり、（１４Ａ）ｓｒｂ−ＴｏＡｄｄＭｏｄＬｉｓｔ、（１４Ｂ）ｄｒｂ−ＴｏＡｄｄＭｏｄＬｉｓｔ、（１４Ｃ）ｄｒｂ−ＴｏＲｅｌｅａｓｅＬｉｓｔ、（１４Ｄ）ｍａｃ−ＭａｉｎＣｏｎｆｉｇ、（１４Ｅ）ｐｈｙｓｉｃａｌＣｏｎｆｉｇＤｅｄｉｃａｔｅｄが含まれる。（１４Ａ）ｓｒｂ−ＴｏＡｄｄＭｏｄＬｉｓｔ、（１４Ｂ）ｄｒｂ−ＴｏＡｄｄＭｏｄＬｉｓｔ、および（１４Ｃ）ｄｒｂ−ＴｏＲｅｌｅａｓｅＬｉｓｔは、ＳＲＢやＤＲＢの設定、変更、および／または解放に使われる情報である。（１４Ｄ）ｍａｃ−ＭａｉｎＣｏｎｆｉｇは、ＭＡＣ層の設定を変更するための情報である。（１４Ｅ）ｐｈｙｓｉｃａｌＣｏｎｆｉｇＤｅｄｉｃａｔｅｄは、物理層のチャネル設定に関する情報である。
【０１０７】
また、ＲＲＣ接続再設定メッセージ（例えば、（８Ｅ）ｒａｄｉｏＲｅｓｏｕｒｃｅＣｏｎｆｉｇＤｅｄｉｃａｔｅｄと、（１２Ａ）ｒａｄｉｏＲｅｓｏｕｒｃｅＣｏｎｆｉｇＤｅｄｉｃａｔｅｄＳＣＧの各情報）にヌメロロジーに関する情報（例えばサブキャリア間隔（ＳＣＳ）情報）および／またはスケジューリングに用いられる時間の単位（送信時間間隔、ＴＴＩ：Ｔｒａｎｓｍｉｓｓｉｏｎ  Ｔｉｍｅ  Ｉｎｔｅｒｖａｌ）を示すための情報を含めることにより、それぞれのセル（またはセルグループ）で用いられるヌメロロジーを指定することができる。
【０１０８】
例えば、図１５は、ヌメロロジーに関する情報およびスケジューリングに用いられる時間の単位（送信時間間隔、ＴＴＩ）を示す一例である。図１５において、ＳＣＳはサブキャリア間隔（単位はｋＨｚ）を示す。Ｓｙｍｂｏｌは１つのスロットに含まれるＯＦＤＭシンボル数を示す。ＳｌｏｔＮｕｍは、１つのＴＴＩに含まれるスロット数を示す。ＴＴＩ  Ｌｅｎは、スケジューリングに用いられる時間の単位（送信時間間隔、ＴＴＩ）の時間（単位はｍｓ）を示す。Ｉｄｘは各パラメータの組み合わせ（パラメータセット）を識別する識別子（またはインデックス）を示す。
【０１０９】
例えば、図１５で示されるような複数のパラメータセットが仕様で定義され、ＲＲＣ接続再設定メッセージに、何れのパラメータセットが使われるかを示す情報（Ｉｄｘ）が含まれてもよい。
【０１１０】
また、例えば、ＲＲＣ接続再設定メッセージに、図１５で示されるような１または複数のパラメータセットが含まれ、さらに、ＲＲＣ接続再設定メッセージに、何れのパラメータセットが使われるかを示す情報（Ｉｄｘ）が含まれてもよい。
【０１１１】
また、ＴＴＩ  Ｌｅｎは、ＳＣＳとＳｙｍｂｏｌとＳｌｏｔＮｕｍの組み合わせから一意に同定することができるため、何れか１つの情報が省略されてもよい。
【０１１２】
また、ＴＴＩ  Ｌｅｎは、ＳＣＳとＳｙｍｂｏｌとＳｌｏｔＮｕｍの組み合わせから一意に同定することができるため、何れか１つの情報がパラメータセットから省略されてもよい。
【０１１３】
また、パラメータセットには実際のスケジューリングに用いられる時間の単位（送信時間間隔、ＴＴＩ）とは別に、様々な演算等に用いられる標準ＴＴＩ（ｄＴＴＩ）の情報が
追加されてもよい。また、標準ＴＴＩは仕様で既定されていてもよい。
【０１１４】
また、ＯＦＤＭシンボル数の情報の代わりにＯＦＤＭシンボル長の情報がパラメータとして含まれてもよい。
【０１１５】
また、ＣＰ（Ｃｙｃｌｉｃ  Ｐｒｅｆｉｘ）に関する情報がパラメータとして含まれてもよい。
【０１１６】
また、複数のスロットを集約してスケジューリング周期とする場合に、スロットの集約レベル（Ａｇｇｒｅｇａｔｉｏｎ  Ｌｅｖｅｌ：ＡＬ）情報がパラメータとして含まれてもよい。
【０１１７】
また、パラメータセットの一部あるいは全部の情報が別の方法によって通知されてもよい。例えば、ＰＤＳＣＨに適用されるパラメータセットの一部（ＳｙｍｂｏｌとＳｌｏｔＮｕｍの組み合わせ）がＲＲＣ接続再設定メッセージで通知され、ＳＣＳの情報が、別の信号やチャネル（例えばＰＤＣＣＨ（ＤＣＩ））で通知されてもよい。これにより、ＰＤＳＣＨの送信に適用されるサブキャリア間隔の候補がセル内で複数ある場合であっても、ＲＲＣ接続再設定メッセージで通知する情報量を抑え、動的にサブキャリア間隔とＴＴＩを設定することができる。これはＰＤＳＣＨ以外のチャネル（例えばＰＵＣＣＨ、ＰＵＳＣＨなど）の設定にも適用することができる。
【０１１８】
また、物理層の設定情報（例えば、（１４Ｅ）ｐｈｙｓｉｃａｌＣｏｎｆｉｇＤｅｄｉｃａｔｅｄに含まれる情報）に上記のパラメータセットの情報が含まれ、論理チャネルの設定情報（例えば、（１４Ｂ）ｄｒｂ−ＴｏＡｄｄＭｏｄＬｉｓｔに含まれる情報）に論理チャネルとＴＴＩとを関連付ける情報が含まれてもよい。ここで、論理チャネルとＴＴＩとを関連付ける情報は、各論理チャネルと、その論理チャネルの送信（および／または受信）に用いるＴＴＩを同定可能な情報（例えばＴＴＩ長そのもの（０．５ｍｓや１．０ｍｓ）、またはＯＦＤＭシンボル数（７シンボルや１４シンボル）、または、標準ＴＴＩとの比率（１ｄＴＴＩや０．５ｄＴＴＩ）、またはスロット情報（１Ｓｌｏｔや２Ｓｌｏｔ）、またはスロットタイプ情報（ｍｉｎｉＳｌｏｔ（０．５ｄＴＴＩ）、Ｓｌｏｔ（１ｄＴＴＩ）、ＭｕｌｔｉＳｌｏｔ（２ｄＴＴＩ））、あるいはＴＴＩタイプ情報（ＮｏｒｍａｌＴＴＩ（１ｄＴＴＩ）、ＳｈｏｒｔｅｎｅｄＴＴＩ（０．５ｄＴＴＩ））など）であってもよい。
【０１１９】
なお、上記メッセージは一例であり、ＲＲＣ接続再設定メッセージは上記ＲＲＣ接続再設定メッセージ以外の情報を含んでもよいし、上記ＲＲＣ接続再設定メッセージの一部の情報を含まなくてもよい。また、ＲＲＣ接続再設定メッセージは、上記ＲＲＣ接続再設定メッセージとは異なる構造、情報要素名、あるいはパラメータ名でもよい。
【０１２０】
接続状態または不活動状態の端末装置２が、１または複数の物理チャネルのヌメロロジーを変更する動作の一例について図７を用いて説明する。
【０１２１】
なお、ここではマスターセルグループのモビリティ制御情報（ＭｏｂｉｌｉｔｙＣｏｎｔｒｏｌＩｎｆｏ）がＲＲＣ接続再設定メッセージに含まれる場合のヌメロロジー変更の手順を説明するが、これに限らず、ヌメロロジーを追加または修正する場合や、モビリティ制御情報がＲＲＣ接続再設定メッセージに含まれない場合にヌメロロジーを変更する場合や、セカンダリセルグループのヌメロロジーを変更または追加または修正する場合にも適用することができる。
【０１２２】
ヌメロロジーの設定は、第２層（ＰＤＣＰ層、ＲＬＣ層および／またはＭＡＣ層）のリ
セットまたは再確立（Ｒｅ−ｅｓｔａｂｌｉｓｈｍｅｎｔ）を伴ってよい。また、ヌメロロジーの設定は、ＰＣｅｌｌでのランダムアクセスの実行を伴ってよい。また、マスターセルグループの設定は、第２層のリセットおよび／または再確立を含む同期マスターセルグループ再設定プロシージャ（ランダムアクセスを伴うプロシージャ）であってよい。また、セカンダリセルグループの設定は、第２層のリセットおよび／または再確立を含む同期セカンダリセルグループ再設定プロシージャ（ランダムアクセスを伴うプロシージャ）であってよい。また、マスターセルグループの設定は、セキュリティのリフレッシュを含む同期マスターセルグループ再設定プロシージャ（ランダムアクセスを伴うプロシージャ）であってよい。また、セカンダリセルグループの設定は、もしセカンダリセルグループのＤＲＢが設定されている場合にはセキュリティのリフレッシュを含む同期セカンダリセルグループ再設定プロシージャ（ランダムアクセスを伴うプロシージャ）であってよい。このプロシージャは、様々なシナリオで使われてよい。例えば、シナリオとは、セカンダリセルグループの確立（Ｅｓｔａｂｌｉｓｈｍｅｎｔ）、ＰＳＣｅｌｌの変更、セキュリティ鍵のリフレッシュ、ＤＲＢの変更、および／またはヌメロロジーの変更などである。端末装置２は、セカンダリセルグループに対するモビリティ制御情報（ｍｏｂｉｌｉｔｙＣｏｎｔｒｏｌＩｎｆｏＳＣＧ）を含むＲＲＣ接続再設定メッセージを受信することでセカンダリセルグループの設定に関連する動作を実行してもよい。
【０１２３】
コネクティッド状態ではネットワークが端末装置２のモビリティを制御する。また、不活動状態でネットワークが端末装置２のモビリティを制御してもよい。ネットワーク制御のモビリティにおいて、モビリティ制御情報を含むＲＲＣ接続再設定メッセージを用いてＰＣｅｌｌが変更されてもよい。また、ネットワーク制御のモビリティにおいて、モビリティ制御情報を含む（または含まない）ＲＲＣ接続再設定メッセージを用いてＳＣｅｌｌが変更されてもよい。
【０１２４】
また、セカンダリセルグループのモビリティ制御情報を含む（または含まない）ＲＲＣ接続再設定メッセージを用いてセカンダリセルグループが確立、再設定、または解放されてもよい。また、マスターセルグループの再設定において、ＰＣｅｌｌへのランダムアクセスが必要な場合、マスターセルグループの変更プロシージャ（すなわち、ｍｏｂｉｌｉｔｙＣｏｎｔｒｏｌＩｎｆｏを含むＲＲＣ接続再設定メッセージ）が用いられてもよい。また、セカンダリセルグループの再設定において、ＰＳＣｅｌｌへのランダムアクセスが必要な場合、セカンダリセルグループの変更プロシージャ（すなわち、ｍｏｂｉｌｉｔｙＣｏｎｔｒｏｌＩｎｆｏＳＣＧを含むＲＲＣ接続再設定メッセージ）が用いられてもよい。
【０１２５】
基地局装置３は、端末装置２に対して、前記端末装置２に対する設定を含むＲＲＣ接続再設定（ＲＲＣＣｏｎｎｅｃｔｉｏｎＲｅｃｏｎｆｉｇｕｒａｔｉｏｎ）メッセージを通知することによって、ヌメロロジーの変更を端末装置２に指示する（ステップＳ７１）。
【０１２６】
ＲＲＣ接続再設定メッセージを受け取り、そのＲＲＣ接続再設定メッセージを含む設定に従うことができる端末装置２は、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を基地局装置３に送信する（ステップＳ７２）。さらにＲＲＣ接続再設定メッセージの情報に基づいて、以下の再設定処理を開始する（ステップＳ７３）。
【０１２７】
ステップＳ７３の再設定処理において、端末装置２は、ＲＲＣ接続再設定メッセージにモビリティ制御情報が含まれる場合、設定に基づきターゲットＰＣｅｌｌの下りリンクの同期をとる。端末装置２は、ＲＲＣ接続再設定メッセージにモビリティ制御情報が含まれ、ターゲットとなるＰＣｅｌｌが現在のＰＣｅｌｌであっても、ＲＲＣ接続再設定メッセージにヌメロロジー情報が含まれる場合に、新たなヌメロロジー情報に基づく下りリンク
同期を開始してもよい。
【０１２８】
また、マスターセルグループのＭＡＣ層の機能と、もし設定されていればセカンダリセルグループのＭＡＣ層の機能をリセットしてよい。また、端末装置２は、確立されていたすべての無線ベアラのためのＰＤＣＰ層の機能を再確立してよい。また、端末装置２は、マスターセルグループのＲＬＣ層の機能と、もし設定されていればセカンダリセルグループのＲＬＣ層の機能を再確立してよい。また、端末装置２は、セカンダリセルグループのＳＣｅｌｌのうち、ＰＳＣｅｌｌを除く他のセルを不活性状態としてよい。
【０１２９】
また、ステップＳ７３の再設定処理において、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合、設定に基づきセカンダリセルグループのＭＡＣ層の機能をリセットしてよい。また、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、ＰＤＣＰ層を再確立またはデータリカバリーしてよい。また、端末装置２は、ＲＲＣ接続再設定メッセージにセカンダリセルグループのモビリティ制御情報が含まれる場合、あるいはＲＲＣ接続再設定メッセージに含まれるセカンダリセルグループの設定が解放するよう設定されている場合に、マスターセルグループのＲＬＣ層および／またはセカンダリセルグループのＲＬＣ層を再確立してよい。また、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、セカンダリセルグループのＳＣｅｌｌのうち、ＰＳＣｅｌｌを除く他のセルを不活性状態としてよい。
【０１３０】
また、ステップＳ７３の再設定処理において、端末装置２は、受信したセカンダリセルグループの設定が解放するように設定されている場合、ＤＲＢ設定を除くセカンダリセルグループの設定を解放して、セカンダリセルグループに関するタイマーを停止してよい。
【０１３１】
また、ステップＳ７３の再設定処理において、端末装置２は、ＲＲＣ接続再設定メッセージに端末装置２固有の無線リソース設定が含まれる場合、固有の無線リソース設定を再設定してよい。また、端末装置２は、ＲＲＣ接続再設定メッセージにＰＳＣｅｌｌとなるセルの追加／変更情報が含まれる場合、ＰＳＣｅｌｌの追加または変更を実行する。また、端末装置２は、ＲＲＣ接続再設定メッセージにセカンダリセルグループのＳＣｅｌｌとなるセルの追加／変更情報が含まれる場合、セカンダリセルグループのＳＣｅｌｌの追加または変更を実行してよい。また、端末装置２は、ＲＲＣ接続再設定メッセージにセカンダリセルグループのＳＣｅｌｌを解放するための情報が含まれる場合、セカンダリセルグループのＳＣｅｌｌの解放を実行してよい。
【０１３２】
端末装置２は、同期信号のヌメロロジー情報がＲＲＣ接続再設定メッセージに含まれる場合、その情報に基づき、同期信号を検出してもよい。同期信号のヌメロロジー情報がＲＲＣ接続再設定メッセージで提供されない場合、端末装置２は、予め定められたヌメロロジーを用いて同期信号の検出を試みてもよい。これにより、ターゲットセルの同期信号に用いられる可能性があるヌメロロジーが複数あるような場合に検出する同期信号のヌメロロジーを一意に指定できる。
【０１３３】
そして、端末装置２は、上りリンクデータを送信するためにランダムアクセス手順を開
始し、ランダムアクセスプリアンブルを送信する。ランダムアクセスプリアンブルを受信した基地局装置３は、端末装置２の送信タイミングのずれを検出し、ずれを補正するための情報（タイミングアドバンスコマンド）を含むランダムアクセス応答を端末装置２に送信する（ステップＳ７４）。ランダムアクセスプリアンブルのヌメロロジー情報がＲＲＣ接続再設定メッセージに含まれる場合、端末装置２は、その情報に基づき、ランダムアクセスプリアンブルを送信してもよい。ヌメロロジー情報が複数含まれる場合には端末装置２が何れかを選択してもよい。ランダムアクセスプリアンブルのヌメロロジー情報がＲＲＣ接続再設定メッセージで提供されない場合、端末装置２は、予め定められたヌメロロジーを用いてランダムアクセスプリアンブルを送信してもよい。例えば、ＮＳ−ＳＳＳと同じヌメロロジー、またはＮＲ−ＳＳＳのヌメロロジーに対応する（一意に導出される）ヌメロロジーを用いてもよい。これにより、ターゲットセルで複数のヌメロロジーがサポートされている場合に端末装置２ごとに適切なヌメロロジーを設定することができる。また、ランダムアクセス応答の受信のためのＰＤＣＣＨ受信および／またはＰＤＳＣＨ受信で用いられるヌメロロジー情報がＲＲＣ接続再設定メッセージに含まれる場合、端末装置２は、その情報に基づき、ランダムアクセス応答を受信してもよい。ランダムアクセス応答の受信のためのＰＤＣＣＨ受信および／またはＰＤＳＣＨ受信で用いられるヌメロロジー情報がＲＲＣ接続再設定メッセージで提供されない場合、端末装置２は、予め定められたヌメロロジーまたはＮＲ−ＳＳＳと同じヌメロロジーを用いてランダムアクセス応答を受信してもよい。これにより、ターゲットセルで複数のヌメロロジーがサポートされている場合に端末装置２ごとに適切なヌメロロジーを設定することができる。
【０１３４】
また、ランダムアクセス応答のメッセージが含まれるＰＤＳＣＨのヌメロロジーは、ＲＲＣ接続再設定メッセージで提供される情報とＰＤＣＣＨで提供される情報との組み合わせによって導出されてもよい。例えば、ＰＤＣＣＨで前述のパラメータセットの識別子が通知されてもよい。また、ＰＤＣＣＨでＳＣＳに関する情報が通知されてもよい。
【０１３５】
また、ランダムアクセス応答のメッセージが含まれるＰＤＳＣＨのヌメロロジーは、ＰＤＣＣＨのヌメロロジーから一意に導出されてもよい。例えば、ＰＤＣＣＨとＰＤＳＣＨのヌメロロジーは同一であってもよい。また、ＰＤＣＣＨとＰＤＳＣＨのヌメロロジーの組み合わせが予め規定（あるいはＲＲＣ接続再設定メッセージで設定）されてもよい。
【０１３６】
また、ランダムアクセス応答で提供される上りリンクグラントによって割り当てられた上りリンクリソース（ＰＵＣＣＨ送信リソースおよび／またはＰＵＳＣＨ送信リソース）のヌメロロジーは、ＲＲＣ接続再設定メッセージで提供される情報とＰＤＣＣＨで提供される情報との組み合わせによって導出されてもよい。例えば、ＰＤＣＣＨで前述のパラメータセットの識別子が通知されてもよい。また、ＰＤＣＣＨでＳＣＳに関する情報が通知されてもよい。
【０１３７】
また、ランダムアクセス応答で提供される上りリンクグラントによって割り当てられた上りリンクリソース（ＰＵＣＣＨ送信リソースおよび／またはＰＵＳＣＨ送信リソース）のヌメロロジーは、ＰＤＣＣＨのヌメロロジーから一意に導出されてもよい。例えば、ＰＤＣＣＨとＰＵＳＣＨのヌメロロジーは同一であってもよい。また、ＰＤＣＣＨとＰＵＳＣＨのヌメロロジーの組み合わせが予め規定（あるいはＲＲＣ接続再設定メッセージで設定）されてもよい。また、ＰＤＣＣＨとＰＵＣＣＨのヌメロロジーは同一であってもよい。また、ＰＤＣＣＨとＰＵＣＣＨのヌメロロジーの組み合わせが予め規定（あるいはＲＲＣ接続再設定メッセージで設定）されてもよい。
【０１３８】
また、ＰＤＳＣＨのヌメロロジーは、ＲＲＣ接続再設定メッセージで提供される情報とＰＤＣＣＨで提供される情報との組み合わせによって導出されてもよい。例えば、ＰＤＣＣＨで前述のパラメータセットの識別子が通知されてもよい。また、ＰＤＣＣＨでＳＣＳ
に関する情報が通知されてもよい。
【０１３９】
また、ＰＤＳＣＨのヌメロロジーは、ＰＤＣＣＨのヌメロロジーから一意に導出されてもよい。例えば、ＰＤＣＣＨとＰＤＣＣＨで示されるＰＤＳＣＨのヌメロロジーは同一であってもよい。また、ＰＤＣＣＨとＰＤＣＣＨで示されるＰＤＳＣＨのヌメロロジーの組み合わせが予め規定（あるいはＲＲＣ接続再設定メッセージで設定）されてもよい。
【０１４０】
また、上りリンクグラントによって割り当てられた上りリンクリソース（ＰＵＣＣＨ送信リソースおよび／またはＰＵＳＣＨ送信リソース）のヌメロロジーは、ＲＲＣ接続再設定メッセージで提供される情報とＰＤＣＣＨで提供される情報との組み合わせによって導出されてもよい。例えば、ＰＤＣＣＨで前述のパラメータセットの識別子が通知されてもよい。また、ＰＤＣＣＨでＳＣＳに関する情報が通知されてもよい。
【０１４１】
また、上りリンクグラントによって割り当てられた上りリンクリソース（ＰＵＣＣＨ送信リソースおよび／またはＰＵＳＣＨ送信リソース）のヌメロロジーは、ＰＤＣＣＨのヌメロロジーから一意に導出されてもよい。例えば、ＰＤＣＣＨとＰＤＣＣＨで示されるＰＵＳＣＨのヌメロロジーは同一であってもよい。また、ＰＤＣＣＨとＰＤＣＣＨで示されるＰＵＳＣＨのヌメロロジーの組み合わせが予め規定（あるいはＲＲＣ接続再設定メッセージで設定）されてもよい。また、ＰＤＣＣＨとＰＵＣＣＨのヌメロロジーは同一であってもよい。また、ＰＤＣＣＨとＰＵＣＣＨのヌメロロジーの組み合わせが予め規定（あるいはＲＲＣ接続再設定メッセージで設定）されてもよい。
【０１４２】
上りリンク送信に関する処理の一例を示す。端末装置２の物理層は、上りリンクグラントを示すＤＣＩをＰＤＣＣＨで受信することによって、自局に割り当てられた上りリンクリソースのサイズとＴＴＩの長さとを導出し、端末装置２のＭＡＣ層に通知する。端末装置２のＭＡＣ層は、少なくとも論理チャネルにアサインされているＴＴＩの長さ、および論理チャネルの優先度（ＬＣＰ：Ｌｏｇｉｃａｌ  Ｃｈａｎｎｅｌ  Ｐｒｉｏｒｉｔｙ）に基づいて、送信するＭＡＣ  ＰＤＵを生成する。このとき、ＬＣＰによる論理チャネル間の優先度の導出は、割り当てられた上りリンクリソースのＴＴＩの長さに紐づけられた論理チャネルのみの間で行われてよい。また、割り当てられた上りリンクリソースのＴＴＩの長さが、論理チャネルの何れにも紐づけられていない場合に、割り当てられた上りリンクリソースを無効とみなしてもよい。また、割り当てられた上りリンクリソースのＴＴＩの長さが、論理チャネルの何れにも紐づけられていない場合に、割り当てられた上りリンクリソースがすべての論理チャネルに紐づけられているとみなしてもよい。
【０１４３】
次に、ヌメロロジーの追加および修正の手順の一例について図１３を用いて説明する。
【０１４４】
ヌメロロジーの設定は、第２層（ＰＤＣＰ層、ＲＬＣ層および／またはＭＡＣ層）の一部のリセットまたは再確立（Ｒｅ−ｅｓｔａｂｌｉｓｈｍｅｎｔ）を伴わなくてよい。また、ヌメロロジーの設定は、ランダムアクセスの実行を伴わなくてよい。また、マスターセルグループの設定は、第２層のリセットおよび／または再確立を含まないマスターセルグループ再設定プロシージャ（ランダムアクセスを伴わないプロシージャ）であってよい。また、セカンダリセルグループの設定は、第２層の一部のリセットおよび／または再確立を含まないセカンダリセルグループ再設定プロシージャ（ランダムアクセスを伴わないプロシージャ）であってよい。端末装置２は、セカンダリセルグループに対するモビリティ制御情報（ｍｏｂｉｌｉｔｙＣｏｎｔｒｏｌＩｎｆｏＳＣＧ）を含むＲＲＣ接続再設定メッセージを受信することでセカンダリセルグループの設定に関連する動作を実行してもよい。
【０１４５】
コネクティッド状態ではネットワークが端末装置２のモビリティを制御する。また、不
活動状態でネットワークが端末装置２のモビリティを制御してもよい。ネットワーク制御のモビリティにおいて、モビリティ制御情報を含むＲＲＣ接続再設定メッセージを用いてＰＣｅｌｌが変更されてもよい。また、ネットワーク制御のモビリティにおいて、モビリティ制御情報を含む（または含まない）ＲＲＣ接続再設定メッセージを用いて（ＰＳＣｅｌｌを含む）ＳＣｅｌｌが変更されてもよい。
【０１４６】
また、セカンダリセルグループのモビリティ制御情報を含む（または含まない）ＲＲＣ接続再設定メッセージを用いてセカンダリセルグループが確立、再設定、または解放されてもよい。また、マスターセルグループの再設定において、ＰＣｅｌｌへのランダムアクセスが必要な場合、マスターセルグループの変更プロシージャ（すなわち、ｍｏｂｉｌｉｔｙＣｏｎｔｒｏｌＩｎｆｏを含むＲＲＣ接続再設定メッセージ）が用いられてもよい。また、セカンダリセルグループの再設定において、ＰＳＣｅｌｌへのランダムアクセスが必要な場合、セカンダリセルグループの変更プロシージャ（すなわち、ｍｏｂｉｌｉｔｙＣｏｎｔｒｏｌＩｎｆｏＳＣＧを含むＲＲＣ接続再設定メッセージ）が用いられてもよい。
【０１４７】
基地局装置３は、端末装置２に対して、前記端末装置２に対する設定を含むＲＲＣ接続再設定メッセージ（ＲＲＣＣｏｎｎｅｃｔｉｏｎＲｅｃｏｎｆｉｇｕｒａｔｉｏｎ）を通知することによって、ヌメロロジー情報の追加および／または修正および／または削除を伴う設定を端末装置２に指示する（ステップＳ１３１）。
【０１４８】
ＲＲＣ接続再設定メッセージを受け取り、そのＲＲＣ接続再設定メッセージを含む設定に従うことができる端末装置２は、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を基地局装置３に送信する（ステップＳ１３２）。さらにＲＲＣ接続再設定メッセージの情報に基づいて、以下の再設定処理を開始する（ステップＳ１３３）。
【０１４９】
ステップＳ１３３の再設定処理において、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合、設定に基づきセカンダリセルグループのＭＡＣ層の機能をリセットしてよい。ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合であっても、ＰＣｅｌｌとＰＳＣｅｌｌが同じセルである場合（あるいは、ＲＲＣ接続再設定メッセージで同一セルへの設定を指示された場合）、端末装置２は、ＰＤＣＰ層を再確立またはデータリカバリーしなくてよい。ただし、例えば、既にＰＳＣｅｌｌにＰＣｅｌｌと異なるセルが設定された状態から、ＰＳＣｅｌｌがＰＣｅｌｌと同じセルに変更された状況などにおいて、ＭＣＧとＳＣＧの両方に分けられた（Ｓｐｌｉｔされた）ＤＲＢ（Ｓｐｌｉｔ  ＤＲＢ）および／またはＳＣＧのみのＤＲＢ（ＳＣＧ
ＤＲＢ）が存在していた場合、ＰＤＣＰ層のデータリカバリーを実行してよい。また、例えば、既にＰＳＣｅｌｌにＰＣｅｌｌと同じセルが設定された状態から、ＰＳＣｅｌｌがＰＣｅｌｌと異なるセルに変更された状況などにおいて、ＲＲＣ接続再設定メッセージに、ＭＣＧとＳＣＧの両方に分けられる（Ｓｐｌｉｔされた）ＤＲＢ（Ｓｐｌｉｔ  ＤＲＢ）が存在する場合、端末装置２は、ＰＤＣＰ層のデータリカバリーを実行してよい。また、端末装置２は、ＲＲＣ接続再設定メッセージにセカンダリセルグループのモビリティ制御情報が含まれる場合、あるいはＲＲＣ接続再設定メッセージに含まれるセカンダリセルグループの設定が解放するよう設定されている場合に、マスターセルグループのＲＬＣ層および／またはセカンダリセルグループのＲＬＣ層を再確立してよい。また、端末装置
２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、セカンダリセルグループのＳＣｅｌｌのうち、ＰＳＣｅｌｌを除く他のセルを不活性状態としてよい。
【０１５０】
また、ステップＳ１３３の再設定処理において、端末装置２は、受信したセカンダリセルグループの設定が解放するように設定されている場合、ＤＲＢ設定を除くセカンダリセルグループの設定を解放して、セカンダリセルグループに関するタイマーを停止してよい。
【０１５１】
また、ステップＳ１３３の再設定処理において、端末装置２は、ＲＲＣ接続再設定メッセージに端末装置２固有の無線リソース設定が含まれる場合、固有の無線リソース設定を再設定してよい。また、端末装置２は、ＲＲＣ接続再設定メッセージにＰＳＣｅｌｌとなるセルの追加／変更情報が含まれる場合、ＰＳＣｅｌｌの追加または変更を実行する。また、端末装置２は、ＲＲＣ接続再設定メッセージにセカンダリセルグループのＳＣｅｌｌとなるセルの追加／変更情報が含まれる場合、セカンダリセルグループのＳＣｅｌｌの追加または変更を実行してよい。また、端末装置２は、ＲＲＣ接続再設定メッセージにセカンダリセルグループのＳＣｅｌｌを解放するための情報が含まれる場合、セカンダリセルグループのＳＣｅｌｌの解放を実行してよい。
【０１５２】
端末装置２は、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を基地局装置３に送信してもよい。なお、この場合、ＲＲＣ接続再設定完了メッセージは、（ＳＲＢの送信リソースが割り当てられる）Ｃｅｌｌで送信してよい。
【０１５３】
このように、ＲＲＣ接続再設定メッセージのＭＣＧの設定およびＳＣＧの設定（例えば、（８Ｅ）ｒａｄｉｏＲｅｓｏｕｒｃｅＣｏｎｆｉｇＤｅｄｉｃａｔｅｄと、（１２Ａ）ｒａｄｉｏＲｅｓｏｕｒｃｅＣｏｎｆｉｇＤｅｄｉｃａｔｅｄＳＣＧの各ＭＡＣ層の設定情報）にヌメロロジーの情報を含めることにより、セルで用いられる複数のヌメロロジーを指定することができる。
【０１５４】
ここで、ＮＲ−ＰＤＣＣＨで送信されるＤＣＩ（Ｄｏｗｎｌｉｎｋ  Ｃｏｎｔｒｏｌ  Ｉｎｆｏｒｍａｔｉｏｎ）の一例を示す。
【０１５５】
例えば、ＤＣＩ  Ｆｏｒｍａｔ  ０として、ＰＵＳＣＨのスケジューリング情報が定義される例を示す。ＤＣＩ  Ｆｏｒｍａｔ  ０には、スケジュールされるコンポーネントキャリアを示す複数ビットの情報（Ｃａｒｒｉｅｒ  Ｉｎｄｉｃａｔｏｒ）が含まれてよい。また、ＤＣＩ  Ｆｏｒｍａｔ  ０には、同じ長さの別のフォーマットとこのフォーマットとを識別するための１または複数ビットのフラグが含まれてもよい。また、ＤＣＩ  Ｆｏｒｍａｔ  ０には、スケジュールされるＰＵＳＣＨのリソース位置を示す情報ビットが含まれてよい。また、ＤＣＩ  Ｆｏｒｍａｔ  ０には、リソース位置のホッピングを行うための情報が含まれてよい。また、ＤＣＩ  Ｆｏｒｍａｔ  ０には、変調方式（Ｍｏｄｕｌａｔｉｏｎ）および符号スキーム（Ｃｏｄｉｎｇ  Ｓｃｈｅｍｅ）およびリダンダンシーバージョン（Ｒｅｄｕｎｄａｎｃｙ  Ｖｅｒｓｉｏｎ）を示す情報が含まれてよい。また、ＤＣＩ  Ｆｏｒｍａｔ  ０には、Ｎｅｗ  Ｄａｔａであるかを示すＮｅｗ  Ｄａｔａ
Ｉｎｄｉｃａｔｏｒが含まれてよい。また、ＤＣＩ  Ｆｏｒｍａｔ  ０には、スケジュールされたＰＵＳＣＨの電力制御を行うための送信電力制御コマンド（ＴＰＣ）が含まれてよい。また、ＤＣＩ  Ｆｏｒｍａｔ  ０には、ＳＲＳ送信を要求する情報（ＳＲＳ  Ｒｅｑｕｅｓｔ）が含まれてよい。また、ＤＣＩ  Ｆｏｒｍａｔ  ０には、スケジュールさ
れるＰＵＳＣＨのサブキャリア間隔に関する情報が含まれてよい。また、ＤＣＩ  Ｆｏｒｍａｔ  ０には、その他必要な情報が含まれてよい。
【０１５６】
例えば、ＤＣＩ  Ｆｏｒｍａｔ  １として、ＰＤＳＣＨのスケジューリング情報が定義される例を示す。ＤＣＩ  Ｆｏｒｍａｔ  １には、ＰＤＳＣＨがスケジュールされるコンポーネントキャリアを示す複数ビットの情報（Ｃａｒｒｉｅｒ  Ｉｎｄｉｃａｔｏｒ）が含まれてよい。また、ＤＣＩ  Ｆｏｒｍａｔ  １には、スケジュールされるＰＤＳＣＨのリソース位置を示す情報ビットが含まれてよい。また、ＤＣＩ  Ｆｏｒｍａｔ  １には、変調方式（Ｍｏｄｕｌａｔｉｏｎ）および符号スキーム（Ｃｏｄｉｎｇ  Ｓｃｈｅｍｅ）およびリダンダンシーバージョン（Ｒｅｄｕｎｄａｎｃｙ  Ｖｅｒｓｉｏｎ）を示す情報が含まれてよい。また、ＤＣＩ  Ｆｏｒｍａｔ  １には、ＨＡＲＱのプロセス番号（ＨＡＲＱ  Ｐｒｏｃｅｓｓ  Ｎｕｍｂｅｒ）が含まれてよい。また、ＤＣＩ  Ｆｏｒｍａｔ  １には、Ｎｅｗ  Ｄａｔａであるかを示すＮｅｗ  Ｄａｔａ  Ｉｎｄｉｃａｔｏｒが含まれてよい。また、ＤＣＩ  Ｆｏｒｍａｔ  １には、スケジュールされたＰＵＣＣＨの電力制御を行うための送信電力制御コマンド（ＴＰＣ）が含まれてよい。また、ＤＣＩ  Ｆｏｒｍａｔ  １には、スケジュールされるＰＤＳＣＨのサブキャリア間隔に関する情報が含まれてよい。また、ＤＣＩ  Ｆｏｒｍａｔ  １には、スケジュールされるＰＵＣＣＨのサブキャリア間隔に関する情報が含まれてよい。また、ＤＣＩ  Ｆｏｒｍａｔ  １には、その他必要な情報が含まれてよい。
【０１５７】
（１４Ｂ）ｄｒｂ−ＴｏＡｄｄＭｏｄＬｉｓｔに含まれる各ｄｒｂ−ＴｏＡｄｄＭｏｄの一例を示す。ｄｒｂ−ＴｏＡｄｄＭｏｄには、ＤＲＢをセットアップする際にはＥＰＳベアラを識別する識別子が含まれてよい。また、ｄｒｂ−ＴｏＡｄｄＭｏｄには、ＰＤＣＰ層の設定情報が含まれてよい。また、ｄｒｂ−ＴｏＡｄｄＭｏｄには、ＲＬＣ層の設定情報が含まれてよい。また、ｄｒｂ−ＴｏＡｄｄＭｏｄには、ＤＲＢをセットアップする際にはＤＲＢに対応する論理チャネル識別子が含まれてよい。また、ｄｒｂ−ＴｏＡｄｄＭｏｄには論理チャネルの設定情報が含まれてよい。また、ｄｒｂ−ＴｏＡｄｄＭｏｄには、論理チャネルに紐づけられるＴＴＩ長を示す情報が含まれてよい。ここで、論理チャネルに紐づけられるＴＴＩ長を示す情報は、その論理チャネルの送信（および／または受信）に用いるＴＴＩ長を同定可能な情報（例えばＴＴＩ長そのもの（０．５ｍｓや１．０ｍｓ）、またはＯＦＤＭシンボル数（７シンボルや１４シンボル）、または、標準ＴＴＩとの比率（１ｄＴＴＩや０．５ｄＴＴＩ）、またはスロット情報（１Ｓｌｏｔや２Ｓｌｏｔ、あるいはｍｉｎｉＳｌｏｔ（０．５ｄＴＴＩ）、Ｓｌｏｔ（１ｄＴＴＩ）、ＭｕｌｔｉＳｌｏｔ（２ｄＴＴＩ））など）であってもよい。また、ｄｒｂ−ＴｏＡｄｄＭｏｄには、その他の必要な情報が含まれてよい。
【０１５８】
（８Ｅ）ｒａｄｉｏＲｅｓｏｕｒｃｅＣｏｎｆｉｇＤｅｄｉｃａｔｅｄ、および／または（１２Ａ）ｒａｄｉｏＲｅｓｏｕｒｃｅＣｏｎｆｉｇＤｅｄｉｃａｔｅｄＳＣＧに含まれるヌメロロジー情報の一例を示す。ヌメロロジー情報は、ヌメロロジーの追加／修正情報を含み、（１２Ｃ）ｓＣｅｌｌＴｏＡｄｄＭｏｄＬｉｓｔＳＣＧと同様に、１つまたは複数のヌメロロジー設定のリストを含んでよい。また、（１２Ｄ）ｓＣｅｌｌＴｏＲｅｌｅａｓｅＬｉｓｔＳＣＧと同様に、ヌメロロジー設定を削除するリストを含んでよい。また、（１４Ｅ）ｐｈｙｓｉｃａｌＣｏｎｆｉｇＤｅｄｉｃａｔｅｄに含まれる情報に含まれる各チャネルや各信号の設定（例えばＰＤＳＣＨの設定であるｐｄｓｃｈ−ＣｏｎｆｉｇＤｅｄｉｃａｔｅｄ、ＰＤＣＣＨの設定であるｐｄｃｃｈ−ＣｏｎｆｉｇＤｅｄｉｃａｔｅｄ、ＰＵＣＣＨの設定であるｐｕｃｃｈ―ＣｏｎｆｉｇＤｅｄｉｃａｔｅｄ、ＰＵＳＣＨの設定であるｐｕｓｃｈ−ＣｏｎｆｉｇＤｅｄｉｃａｔｅｄ、ＳＲＳの設定であるｓｏｕｎｄｉｎｇＲＳ―ＵＬ―ＣｏｎｆｉｇＤｅｄｉｃａｔｅｄ、スケジューリング要求（ＳＲ）の設定であるｓｃｈｅｄｕｌｉｎｇＲｅｑｕｅｓｔＣｏｎｆｉｇ、など）毎に、ヌメロロジー情報が含まれてもよい。または、各チャネルに共通（または上りリンクのチャ
ネルと下りリンクのチャネルのそれぞれで共通）に用いられるヌメロロジー情報が、（１４Ｅ）ｐｈｙｓｉｃａｌＣｏｎｆｉｇＤｅｄｉｃａｔｅｄに含まれてもよい。
【０１５９】
また、各チャネルおよび各信号のヌメロロジーの設定情報が１または複数のセットとして構成されてもよい。例えば、プライマリヌメロロジー（またはプライマリヌメロロジーセット）として各チャネルおよび各信号のヌメロロジーが設定され、セカンダリヌメロロジー（またはセカンダリヌメロロジーセット）として各チャネルおよび各信号に別のヌメロロジーが設定されてもよい。例えば、プライマリヌメロロジーおよび／またはセカンダリヌメロロジーの設定情報は、各物理チャネルに共通となる上りリンクのヌメロロジーと下りリンクのヌメロロジーの設定が含まれてよい。あるいは、プライマリヌメロロジーおよび／またはセカンダリヌメロロジーの設定情報は、物理チャネル毎のヌメロロジーの設定が含まれてよい。例えばプライマリヌメロロジーおよび／またはセカンダリヌメロロジーの設定情報に（１４Ｅ）ｐｈｙｓｉｃａｌＣｏｎｆｉｇＤｅｄｉｃａｔｅｄが含まれてもよいし、（１４Ｅ）ｐｈｙｓｉｃａｌＣｏｎｆｉｇＤｅｄｉｃａｔｅｄにプライマリヌメロロジーおよび／またはセカンダリヌメロロジーの設定情報が含まれてもよい。
【０１６０】
また、プライマリヌメロロジーを変更する場合にはモビリティ制御情報を含むＲＲＣ接続再設定メッセージが用いられ、セカンダリヌメロロジーを変更する場合にはモビリティ制御情報を含まないＲＲＣ接続再設定メッセージが用いられてもよい。また、コンポーネントキャリアごと、またはセルグループごとにプライマリヌメロロジーが使用されるかセカンダリヌメロロジーが使用されるかが規定あるいは通知されてもよい。また、プライマリヌメロロジーとセカンダリヌメロロジーの切り替えがＲＲＣ層またはＭＡＣ層または物理層のシグナリング（例えば、ＲＲＣ接続再設定メッセージまたはＭＡＣ制御要素またはＤＣＩ）によって通知されてもよい。また、セカンダリヌメロロジーは複数設定されてもよい。この場合、各セカンダリヌメロロジーを識別するための識別子が設定されてもよい。また、プライマリヌメロロジーはマスターヌメロロジーと呼称してもよい。
【０１６１】
また、プライマリヌメロロジーの設定がモビリティ制御情報に含まれ、セカンダリヌメロロジーの設定がモビリティ制御情報以外のＲＲＣ接続再設定メッセージの要素に含まれてもよい。また、プライマリヌメロロジーの設定とセカンダリヌメロロジーの設定の両方がモビリティ制御情報以外のＲＲＣ接続再設定メッセージの要素に含まれてもよい。また、プライマリヌメロロジーおよび／またはセカンダリヌメロロジーは、上りリンクと下りリンクとで分離された設定であってもよい。すなわち、上りリンクプライマリヌメロロジーと下りリンクプライマリヌメロロジーが定義されてもよい。また、ＳＣｅｌｌおよび／またはＰＳＣｅｌｌを追加／修正するＲＲＣ接続再設定メッセージにそのセルに設定されるヌメロロジーの情報が含まれてよい。また、ＳＣｅｌｌおよび／またはＰＳＣｅｌｌを追加するＲＲＣ接続再設定メッセージの要素（例えば（８Ｊ）ｓＣｅｌｌＴｏＡｄｄＭｏｄＬｉｓｔの各セル情報や（１２Ｂ）ｐＳＣｅｌｌＴｏＡｄｄＭｏｄ）に何れのヌメロロジーを適用するかを判断可能な情報が含まれてもよい。例えば、ＳＣｅｌｌおよび／またはＰＳＣｅｌｌを追加するＲＲＣ接続再設定メッセージの要素（例えば（８Ｊ）ｓＣｅｌｌＴｏＡｄｄＭｏｄＬｉｓｔの各セル情報や（１２Ｂ）ｐＳＣｅｌｌＴｏＡｄｄＭｏｄ）にプライマリヌメロロジーが適用されるかセカンダリヌメロロジーが適用されるかを示す情報（例えば1ビットの情報）が含まれてもよい。例えば、ＳＣｅｌｌおよび／またはＰ
ＳＣｅｌｌを追加するＲＲＣ接続再設定メッセージの要素（例えば（８Ｊ）ｓＣｅｌｌＴｏＡｄｄＭｏｄＬｉｓｔの各セル情報や（１２Ｂ）ｐＳＣｅｌｌＴｏＡｄｄＭｏｄ）に適用するヌメロロジーの情報が含まれない場合、既定のヌメロロジー（例えばプライマリヌメロロジー）が適用されてもよい。
【０１６２】
また、プライマリヌメロロジーおよび／またはセカンダリヌメロロジーのヌメロロジーの設定には複数のヌメロロジー設定が含まれてもよい。この場合、プライマリヌメロロジ
ーおよび／またはセカンダリヌメロロジーのヌメロロジーの設定に含まれるヌメロロジーの種類に最大数（例えば最大２つまで）が設定されてもよい。また、セカンダリヌメロロジーにプライマリヌメロロジーと同じ設定が含まれてもよい。
【０１６３】
また、下りリンクのヌメロロジー設定はＰＵＣＣＨグループごとおよび／または物理チャネルごとに設定されてもよい。複数のサービングセルに対して共通のＰＵＣＣＨリソースが用いられるとき、それらの複数のサービングセルを１つのＰＵＣＣＨグループとしてよい。例えば、ＰＣｅｌｌを含む複数のサービングセルのＰＵＣＣＨシグナリングが、ＰＣｅｌｌのＰＵＣＣＨに対応づけられている場合に、このＰＵＣＣＨグループをＰｒｉｍａｒｙ  ＰＵＣＣＨ  ｇｒｏｕｐとしてよい。例えば、ＳＣｅｌｌを含む複数のサービングセルのＰＵＣＣＨシグナリングが、ＰＵＣＣＨが設定されたあるＳＣｅｌｌのＰＵＣＣＨに対応づけられている場合に、このＰＵＣＣＨグループをＳｅｃｏｎｄａｒｙ  ＰＵＣＣＨ  ｇｒｏｕｐとしてよい。１つのＰＵＣＣＨグループに対して共通となる下りリンクのヌメロロジーが設定されてよい。ＰＵＣＣＨグループが複数ある場合、そのＰＵＣＣＨグループごとに共通となる下りリンクのヌメロロジーが設定されてよい。このとき、ＰＵＣＣＨグループごとに共通となる下りリンクのヌメロロジーには、物理チャネルごとに独立したヌメロロジーが含まれてもよい。
【０１６４】
また、ＰＵＣＣＨグループはセルグループごとに最大数（例えば最大２つまで）が設定されてもよい。また、上りリンクおよび／または下りリンクの各物理チャネルに対して設定されるヌメロロジーの種類に最大数（例えば最大２つまで）が設定されてもよい。
【０１６５】
また、プライマリヌメロロジーとセカンダリヌメロロジーの設定の何れか、またはそれぞれにＰＵＣＣＨグループごとのヌメロロジーの設定が含まれてもよい。また、ＰＵＣＣＨグループごとのヌメロロジーの設定の何れか、またはそれぞれにプライマリヌメロロジーとセカンダリヌメロロジーの設定が含まれてもよい。
【０１６６】
また、ＲＲＣ接続再設定メッセージに含まれる情報要素（例えば（８Ｅ）ｒａｄｉｏＲｅｓｏｕｒｃｅＣｏｎｆｉｇＤｅｄｉｃａｔｅｄ、（１２Ａ）ｒａｄｉｏＲｅｓｏｕｒｃｅＣｏｎｆｉｇＤｅｄｉｃａｔｅｄＳＣＧ、ＲＲＭ測定のための測定対象（Ｍｅａｓｕｒｅｍｅｎｔ  Ｏｂｊｅｃｔ）など）にＣＳＩ−ＲＳの設定情報が含まれてよい。また、この設定情報に各ＣＳＩ−ＲＳのヌメロロジーを示す情報、またはＣＳＩ−ＲＳのセット毎のヌメロロジーを示す情報が含まれてよい。また、ＣＳＩ−ＲＳ間で異なるヌメロロジーが設定されている場合、端末装置２は、すべてのＣＳＩ−ＲＳの設定を有効とみなしてもよい。また、端末装置２は、ＰＤＳＣＨの受信に設定されているヌメロロジーのＣＳＩ−ＲＳの設定のみを有効とみなしてもよい。
【０１６７】
また、端末装置２はＴＴＩのバンドル（ＴＴＩ  ｂｕｎｄｌｉｎｇ）をサポートしてもよい。ＴＴＩ  ｂｕｎｄｌｉｎｇとは、例えばセル端などの無線品質の悪い状況において、１つのＰＤＣＣＨを用いて複数ＴＴＩのＰＵＳＣＨリソースをスケジューリングし、各ＴＴＩのリソースに対して、ＨＡＲＱ処理のＩｎｃｒｅｍｅｎｔａｌ  ｒｅｄｕｎｄａｎｃｙ法を適用するために、Ｒｅｄｕｎｄａｎｃｙ  ｖｅｒｓｉｏｎ（ＲＶ）を変更したデータ（ＲＶ  ｃｙｃｌｉｎｇしたデータ）を配置したり、Ｃｈａｓｅ  ｃｏｍｂｉｎｉｎｇ法を適用するために、同じデータの繰り返し（Ｒｅｐｅｔｉｔｉｏｎしたデータ）を配置したりして送信するものである。例えば、ＲＲＣ接続再設定メッセージにＴＴＩ  ｂｕｎｄｌｉｎｇを有効にするか否かを示す情報が含まれてよい。また、バンドリングのサイズが、既定値（例えば４つ）と設定されてもよい。または、バンドリングのサイズがＲＲＣ層またはＭＡＣ層または物理層のメッセージや信号で通知されてもよい。例えば、（Ａ）端末装置２の物理層機能において、スロット集約によって、０．５ｍｓのスロットが４つ集約された２ｍｓＴＴＩのＰＵＳＣＨがアサインされる。（Ｂ）端末装置２のＭＡＣ層
機能は、２ｍｓのＴＴＩで送信するように設定されている論理チャネルのデータを含めたＭＡＣ  ＰＤＵを生成して物理層に与える。（Ｃ）端末装置２の物理層機能は、ＴＴＩ  ｂｕｎｄｌｉｎｇが有効な場合、例えばバンドリングのサイズが４であれば、（Ｉｎｃｒｅｍｅｎｔａｌ  ｒｅｄｕｎｄａｎｃｙ法を適用する場合）４つの異なるＲＶのデータを生成して、４つのＰＵＳＣＨリソースを用いて生成したデータを送信する。すなわち（Ａ）では０．５ｍｓの長さのスロットがスロット集約によって、４つのスロットを用いた２ｍｓのＴＴＩを形成する。これにより２ｍｓ単位でのスケジュールが行われる。そして（Ｂ）では、２ｍｓＴＴＩでの送信が許可された論理チャネルのデータがＰＵＳＣＨにアサインされる。次に（Ｃ）では、ＴＴＩ  ｂｕｎｄｌｉｎｇによって２ｍｓＴＴＩのＰＵＳＣＨにアサインされるデータが、Ｉｎｃｒｅｍｅｎｔａｌ  ｒｅｄｕｎｄａｎｃｙ法を適用する場合、異なるＲＶの４つのデータとして、４つのＰＵＳＣＨリソースを用いて（８ｍｓに渡って）送信される。また（Ｃ）において、Ｃｈａｓｅ  ｃｏｍｂｉｎｉｎｇ法を適用する場合、複製された４つのデータが４つのＰＵＳＣＨリソースを用いて（８ｍｓに渡って）送信される。
【０１６８】
上記実施形態ではチャネルごとにヌメロロジーを設定する例を示したが、それ以外にも、ＲＲＣ接続再設定メッセージ、および／またはＭＡＣ制御要素および／またはＤＣＩを用いて、時間リソースとヌメロロジーの対応が通知されてもよい。例えば、ある時間長を単位とする時間区間（例えばフレームやスーパーフレームやハイパーフレーム、またはある基準フレームの先頭から４０ｍｓや８０ｍｓの範囲など）を構成する部分区間（スロットやサブフレームやフレーム、あるいはその組み合わせなど）の位置を示す情報と（上りリンクおよび／または下りリンクの）ヌメロロジーを示す情報とが通知されてもよい。これにより、チャネルごとに個別に情報を通知することなく複数のヌメロロジーを用いて通信することができる。
【０１６９】
なお、前記説明において、便宜上、「ヌメロロジー」という単語を使用して説明してきたが、システムで使用される以下のパラメータ（Ａ）から（Ｇ）の一部あるいは全部がヌメロロジーである。
（Ａ）サンプリングレート
（Ｂ）サブキャリア間隔
（Ｃ）サブフレーム長
（Ｄ）スケジューリングに用いられる時間の単位（送信時間間隔、ＴＴＩ：Ｔｒａｎｓｍｉｓｓｉｏｎ  Ｔｉｍｅ  Ｉｎｔｅｒｖａｌ）
（Ｅ）ＯＦＤＭシンボル長
（Ｆ）１サブフレームに含まれるＯＦＤＭシンボル数
（Ｇ）シグナルおよび／またはチャネルが送信されるアンテナポート
上記実施例において、ＭＡＣ層の設定（例えば、上記各ｍａｃ−ＭａｉｎＣｏｎｆｉｇやＤＲＢ−ＴｏＡｄｄＭｏｄなど）に送信時間間隔（ＴＴＩ）の情報が含まれてもよい。また、物理層のチャネル設定（例えば、ｒａｄｉｏＲｅｓｏｕｒｃｅＣｏｎｆｉｇＤｅｄｉｃａｔｅｄや、ｐｈｙｓｉｃａｌＣｏｎｆｉｇＤｅｄｉｃａｔｅｄ）に（信号および／またはチャネル毎の）サブキャリア間隔の情報および／または１サブフレームに含まれるＯＦＤＭシンボル数の情報が含まれてもよい。また、端末装置２の物理層から端末装置２のＭＡＣ層に対して、受信した下りリンクデータの送信時間間隔、および／または取得した上りリンク送信リソースの送信時間間隔の情報が通知されてもよい。これにより、端末装置２のＭＡＣ層において、送信時間間隔に基づいた適切なスケジューリングを行うことができる。
【０１７０】
上記実施形態では、送信時間間隔（ＴＴＩ）がヌメロロジーに含まれる例を説明した箇所があるが、これに限らず別のパラメータとして設定されてもよい。この場合であっても、あるメッセージにヌメロロジー情報が含まれる場合に、そのメッセージに送信時間間隔
（ＴＴＩ）が含まれてもよい。
【０１７１】
また、上記説明で使用した「ＴＴＩ」は「送信継続期間（Ｔｒａｎｓｍｉｓｓｉｏｎ  Ｄｕｒａｔｉｏｎ、ＴｒａｎｓＤｕｒａｔｉｏｎ）」と呼称してもよい。
【０１７２】
本発明の実施形態における装置の構成について説明する。
【０１７３】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０１７４】
上位層処理部２４は、ユーザの操作等により生成された上りリンクデータ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０１７５】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジューリングリクエストの伝送の制御を行う。
【０１７６】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０１７７】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、データを変調、符号化することによって送信信号を生成し、基地局装置３に送信する。
【０１７８】
ＲＦ部２２は、アンテナ部２１を介して受信した信号を、直交復調によりベースバンド信号に変換し（ダウンコンバート: ｄｏｗｎ  ｃｏｖｅｒｔ）、不要な周波数成分を除去する。ＲＦ部２２は、処理をしたアナログ信号をベースバンド部に出力する。
【０１７９】
ベースバンド部２３は、ＲＦ部２２から入力されたアナログ信号を、アナログ信号をデジタル信号に変換する。ベースバンド部２３は、変換したデジタル信号からＣＰ（Ｃｙｃｌｉｃ  Ｐｒｅｆｉｘ）に相当する部分を除去し、ＣＰを除去した信号に対して高速フーリエ変換（Ｆａｓｔ  Ｆｏｕｒｉｅｒ  Ｔｒａｎｓｆｏｒｍ：ＦＦＴ）を行い、周波数領域の信号を抽出する。
【０１８０】
ベースバンド部２３は、データを逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０１８１】
ＲＦ部２２は、ローパスフィルタを用いてベースバンド部２３から入力されたアナログ信号から余分な周波数成分を除去し、アナログ信号を搬送波周波数にアップコンバート（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０１８２】
なお、端末装置２は、複数の周波数（周波数帯、周波数帯域幅）またはセルの同一サブフレーム内での送受信処理をサポートするために各部の一部あるいはすべてを複数備える構成であってもよい。
【０１８３】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０１８４】
上位層処理部３４は、媒体アクセス制御（ＭＡＣ： Ｍｅｄｉｕｍ  Ａｃｃｅｓｓ  Ｃ
ｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０１８５】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１８６】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノードから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０１８７】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０１８８】
また、上位層処理部３４は、基地局装置３間あるいは上位のネットワーク装置（ＭＭＥ
、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケーション層処理部が存在している。
【０１８９】
なお、図中の「部」とは、セクション、回路、構成装置、デバイス、ユニットなど用語によっても表現される、端末装置２および基地局装置３の機能および各手順を実現する要素である。
【０１９０】
端末装置２が備える符号２０から符号２６が付された部のそれぞれは、回路として構成されてもよい。基地局装置３が備える符号３０から符号３６が付された部のそれぞれは、回路として構成されてもよい。
【０１９１】
本発明の実施形態における、端末装置２および基地局装置３の種々の態様について説明する。
【０１９２】
（１）本発明の第１の態様は、端末装置であって、サブキャリア間隔、スロット数、ＯＦＤＭシンボル数、送信時間間隔の何れかの組み合わせまたは組み合わせの１または複数の候補を示す第１の情報を受信する受信部と、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する制御部とを備える。
【０１９３】
（２）本発明の第１の態様において、前記受信部はさらに１または複数の論理チャネルの各々と送信時間間隔の紐付けを示す第２の情報を受信し、前記第１の情報に基づいて特定される送信時間間隔と、前記第２の情報に基づいて、ＭＡＣ層プロトコルデータユニット（ＭＡＣ−ＰＤＵ）を生成する媒体アクセス制御層処理部を備える。
【０１９４】
（３）本発明の第１の態様において、前記第１の情報はＲＲＣ接続再設定メッセージで通知される。
【０１９５】
（４）本発明の第１の態様において、前記第１の情報は、前記組み合わせを別の組み合わせに切り替える場合には、ＲＲＣ接続再設定メッセージにモビリティ制御情報（ＭＣＩ）が含まれ、前記第１の情報は、前記組み合わせの候補を追加または変更する場合には、ＲＲＣ接続再設定メッセージにモビリティ制御情報（ＭＣＩ）が含まれない。
【０１９６】
（５）本発明の第１の態様において、物理下りリンク制御チャネルで通知される情報（第２の情報）と前記第１の情報とに基づき、対応する物理下りリンク共有チャネルの送信時間間隔を特定する。
【０１９７】
（６）本発明の第１の態様において、物理下りリンク制御チャネルで通知される情報（第３の情報）と前記第１の情報とに基づき、割り当てられる物理上りリンク共有チャネルの送信時間間隔を特定する。
【０１９８】
（７）本発明の第２の態様は、基地局装置であって、サブキャリア間隔、スロット数、ＯＦＤＭシンボル数、送信時間間隔の何れかの組み合わせまたは組み合わせの１または複数の候補を示す第１の情報を生成する制御部と、前記第１の情報を送信し、少なくとも前
記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補の何れかを用いて物理チャネルを送信する送信部を備える。
【０１９９】
（８）本発明の第３の態様は、端末装置に適用される通信方法であって、サブキャリア間隔、スロット数、ＯＦＤＭシンボル数、送信時間間隔の何れかの組み合わせまたは組み合わせの１または複数の候補を示す第１の情報を受信するステップと、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定するステップとを含む。
【０２００】
（９）本発明の第４の態様は、端末装置に実装される集積回路であって、サブキャリア間隔、スロット数、ＯＦＤＭシンボル数、送信時間間隔の何れかの組み合わせまたは組み合わせの１または複数の候補を示す第１の情報を受信する機能と、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補を特定する機能とを前記端末装置に対して発揮させる。
【０２０１】
（１０）本発明の第５の態様は、基地局装置に適用される通信方法であって、サブキャリア間隔、スロット数、ＯＦＤＭシンボル数、送信時間間隔の何れかの組み合わせまたは組み合わせの１または複数の候補を示す第１の情報を生成するステップと、前記第１の情報を送信し、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補の何れかを用いて物理チャネルを送信するステップとを備える。
【０２０２】
（１１）本発明の第６の態様は、基地局装置に実装される集積回路であって、サブキャリア間隔、スロット数、ＯＦＤＭシンボル数、送信時間間隔の何れかの組み合わせまたは組み合わせの１または複数の候補を示す第１の情報を生成する機能と、前記第１の情報を送信し、少なくとも前記第１の情報に基づいて、ある物理チャネルに対して設定される少なくともサブキャリア間隔（ＳＣＳ）と送信時間間隔（ＴＴＩ）との組み合わせ、または前記組み合わせの１または複数の候補の何れかを用いて物理チャネルを送信する機能とを前記基地局装置に対して発揮させる。
【０２０３】
これにより、端末装置 ２および基地局装置３は、効率的に通信を行うことができる。
【０２０４】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２０５】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２０６】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（
ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０２０７】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０２０８】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノードの機能の一部または全部を有してもよい。
【０２０９】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０２１０】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０２１１】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２１２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機
器、空調機器、オフィス機器、自動販売機、その他生活機器などの端末装置もしくは通信装置に適用出来る。
【０２１３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１４】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2020109883.tif 000003
【図２】
2020109883.tif 000004
【図３】
2020109883.tif 000005
【図４】
2020109883.tif 000006
【図５】
2020109883.tif 000007
【図６】
2020109883.tif 000008
【図７】
2020109883.tif 000009
【図８】
2020109883.tif 000010
【図９】
2020109883.tif 000011
【図１０】
2020109883.tif 000012
【図１１】
2020109883.tif 000013
【図１２】
2020109883.tif 000014
【図１３】
2020109883.tif 000015
【図１４】
2020109883.tif 000016
【図１５】
2020109883.tif 000017